(57)【特許請求の範囲】
【請求項１】
無線通信システムのアクセスポイント（ＡＰ）からステーション（ＳＴＡ）でフレームを受信する方法であって、前記方法は、
前記ＡＰによって前記ＳＴＡに割り当てられた連携ＩＤ（ＡＩＤ）及び前記ＡＰのＢＳＳＩＤ（Ｂａｓｉｃ  Ｓｅｒｖｉｃｅ  Ｓｅｔ  ＩＤ）に基づいて計算された第１部分連携ＩＤ（ＰＡＲＴＩＡＬ＿ＡＩＤ）の値が第１フレームに含まれるか否かを決定することと、
前記ＳＴＡに割り当てられた前記ＡＩＤ及び前記ＡＰの前記ＢＳＳＩＤに基づいて計算された前記第１部分ＡＩＤの値が前記第１フレームに含まれる場合に、前記第１フレームをデコードすることと、
前記ＡＰの前記ＢＳＳＩＤの４０番目のビット位置から４８番目のビット位置までのビットに対する２進数−１０進数変換数に対するモジューロ演算の結果に正整数を加えることによって計算された第２部分ＡＩＤを含む第２フレームを送信することと
を含み、前記第２部分ＡＩＤが、前記第１部分ＡＩＤと同一ではない、方法。
【請求項２】
前記第２部分ＡＩＤの値は、（ｄｅｃ（ＢＳＳＩＤ［３９：４７］）ｍｏｄ（２９−１））＋１によって計算され、
ＢＳＳＩＤは、前記ＡＰの前記ＢＳＳＩＤであり、
ｄｅｃ（Ａ）は、２進数Ａの２進数−１０進数変換を表し、
Ａ［ｂ：ｃ］は、前記２進数Ａの最初のビットがｂｉｔ０により表されるときのＡのｂｉｔ  ｂからｂｉｔ  ｃまでのビットであり、
‘ｍｏｄ’は、モジューロ演算を表す、請求項１に記載の方法。
【請求項３】
無線通信システムのアクセスポイント（ＡＰ）でステーション（ＳＴＡ）にフレームを送信する方法であって、前記方法は、
前記アクセスポイント（ＡＰ）によって、前記ＳＴＡに割り当てられた連携ＩＤ（ＡＩＤ）及び前記ＡＰのＢＳＳＩＤ（Ｂａｓｉｃ  Ｓｅｒｖｉｃｅ  Ｓｅｔ  ＩＤ）に基づいて第１部分連携ＩＤ（ＰＡＲＴＩＡＬ＿ＡＩＤ）を計算することと、
前記計算された第１部分ＡＩＤの値に設定されたフィールドを含む前記フレームを前記ＳＴＡに送信することと
を含み、
前記第１部分ＡＩＤの値が、前記ＡＰの前記ＢＳＳＩＤの４０番目のビット位置から４８番目のビット位置までのビットに対する２進数−１０進数変換数に対するモジューロ演算の結果に正整数を加えることによって計算された第２部分ＡＩＤの値と同一にならないように、前記ＡＩＤが割り当てられる、方法。
【請求項４】
前記第２部分ＡＩＤの値は、（ｄｅｃ（ＢＳＳＩＤ［３９：４７］）ｍｏｄ（２９−１））＋１によって計算され、
ＢＳＳＩＤは、前記ＡＰの前記ＢＳＳＩＤであり、
ｄｅｃ（Ａ）は、２進数Ａの２進数−１０進数変換であり、
Ａ［ｂ：ｃ］は、前記２進数Ａの最初のビットがｂｉｔ０により表されるときのＡのｂｉｔ  ｂからｂｉｔ  ｃまでのビットであり、
‘ｍｏｄ’は、モジューロ演算を表す、請求項３に記載の方法。
【請求項５】
前記第１部分ＡＩＤの値がＯＢＳＳ（Ｏｖｅｒｌａｐｐｉｎｇ  ＢＳＳ）のＢＳＳＩＤの４０番目のビット位置から４８番目のビット位置までのビットに対する２進数−１０進数変換数に対するモジューロ演算の結果に正整数を加えることによって計算された第３部分ＡＩＤの値と同一にならないように、前記ＡＩＤが割り当てられる、請求項３に記載の方法。
【請求項６】
前記第３部分ＡＩＤの値は、（ｄｅｃ（ＯＢＳＳ  ＢＳＳＩＤ［３９：４７］）ｍｏｄ（２９−１））＋１によって計算され、
ＯＢＳＳ  ＢＳＳＩＤは、前記ＯＢＳＳの前記ＢＳＳＩＤであり、
ｄｅｃ（Ａ）は、２進数Ａの２進数−１０進数変換を表し、
Ａ［ｂ：ｃ］は、前記２進数Ａの最初のビットがｂｉｔ０により表されるときのＡのｂｉｔ  ｂからｂｉｔ  ｃまでのビットであり、
‘ｍｏｄ’は、モジューロ演算を表す、請求項５に記載の方法。
【請求項７】
前記第１部分ＡＩＤの値は、ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ  ２９によって計算され、
ＡＩＤは、前記ＳＴＡに割り当てられた前記ＡＩＤであり、
ＢＳＳＩＤは、前記ＡＰの前記ＢＳＳＩＤであり、
ｄｅｃ（Ａ）は、２進数Ａの２進数−１０進数変換を表し、
Ａ［ｂ：ｃ］は、前記２進数Ａの最初のビットがｂｉｔ０により表されるときのＡのｂｉｔ  ｂからｂｉｔ  ｃまでのビットであり、
‘ｍｏｄ’は、モジューロ演算を表す、請求項３に記載の方法。
【請求項８】
前記ＡＰは、前記ＳＴＡに連携されている、請求項３に記載の方法。
【請求項９】
前記第１部分ＡＩＤが０と同一にならないように前記ＡＩＤが割り当てられる、請求項３に記載の方法。
【請求項１０】
前記フィールドは、前記フレームのＳＩＧ−Ａ（Ｓｉｇｎａｌ  Ａ）フィールドに含まれる、請求項３に記載の方法。
【請求項１１】
前記フレームは単一ユーザ（ＳＵ）フレームである、請求項３に記載の方法。
【請求項１２】
前記フレームは、１ＧＨｚ以下（ｓｕｂ−１ＧＨｚ）動作周波数で定義される、請求項３に記載の方法。
【請求項１３】
無線通信システムのアクセスポイント（ＡＰ）からフレームを受信するステーション（ＳＴＡ）装置であって、前記ステーション（ＳＴＡ）装置は、プロセッサと、送受信器とを備え、
前記プロセッサは、前記ＡＰによって前記ＳＴＡに割り当てられた連携ＩＤ（ＡＩＤ）及び前記ＡＰのＢＳＳＩＤ（Ｂａｓｉｃ  Ｓｅｒｖｉｃｅ  Ｓｅｔ  ＩＤ）に基づいて計算された第１部分連携ＩＤ（ＰＡＲＴＩＡＬ＿ＡＩＤ）の値が第１フレームに含まれるか否かを決定することと、前記ＳＴＡに割り当てられた前記ＡＩＤ及び前記ＡＰの前記ＢＳＳＩＤに基づいて計算された前記第１部分ＡＩＤの値が前記第１フレームに含まれる場合に、前記第１フレームをデコードすることとを実行するように構成されており、
前記送受信器は、前記ＡＰの前記ＢＳＳＩＤの４０番目のビット位置から４８番目のビット位置までのビットに対する２進数−１０進数変換数に対するモジューロ演算の結果に正整数を加えることによって計算された第２部分ＡＩＤを含む第２フレームを送信するように構成されており、
前記第２部分ＡＩＤが、前記第１部分ＡＩＤと同一ではない、ステーション（ＳＴＡ）装置。
【請求項１４】
無線通信システムのステーション（ＳＴＡ）にフレームを送信するアクセスポイント（ＡＰ）装置であって、前記アクセスポイント（ＡＰ）装置は、プロセッサと、送受信器とを備え、
前記プロセッサは、前記ＳＴＡに割り当てられた連携ＩＤ（ＡＩＤ）及び前記ＡＰのＢＳＳＩＤ（Ｂａｓｉｃ  Ｓｅｒｖｉｃｅ  Ｓｅｔ  ＩＤ）に基づいて第１部分連携ＩＤ（ＰＡＲＴＩＡＬ＿ＡＩＤ）を計算するように構成されており、
前記送受信器は、前記計算された第１部分ＡＩＤの値に設定されたフィールドを含む前記フレームを前記ＳＴＡに送信するように構成されており、
前記第１部分ＡＩＤの値が、前記ＡＰの前記ＢＳＳＩＤの４０番目のビット位置から４８番目のビット位置までのビットに対する２進数−１０進数変換数に対するモジューロ演算の結果に正整数を加えることによって計算された第２部分ＡＩＤの値と同一にならないように、前記ＡＩＤが割り当てられる、アクセスポイント（ＡＰ）装置。
【発明の詳細な説明】
【技術分野】
【０００１】
以下の説明は、無線通信システムに関し、特に、無線ＬＡＮシステムにおいて部分連携識別子を含むフレーム送受信方法及び装置に関する。
【背景技術】
【０００２】
近年、情報通信技術の発展に伴って様々な無線通信技術が開発されている。その中でも無線ＬＡＮ（ＷＬＡＮ）は、無線周波数技術に基づいて個人携帯用情報端末機（Ｐｅｒｓｏｎａｌ  Ｄｉｇｉｔａｌ  Ａｓｓｉｓｔａｎｔ；ＰＤＡ）、ラップトップコンピュータ、携帯用マルチメディアプレーヤー（Ｐｏｒｔａｂｌｅ  Ｍｕｌｔｉｍｅｄｉａ  Ｐｌａｙｅｒ；ＰＭＰ）などのような携帯用端末機を用いて家庭、企業又は特定サービス提供地域において無線でインターネットにアクセスできるようにする技術である。
【０００３】
無線ＬＡＮで脆弱点とされてきた通信速度の限界を克服するために、最近の技術標準では、ネットワークの速度と信頼性を増大させるとともに無線ネットワークの運営距離を拡張したシステムを導入している。例えば、ＩＥＥＥ  ８０２．１１ｎでは、データ処理速度が最大５４０Ｍｂｐｓ以上である高処理率（Ｈｉｇｈ  Ｔｈｒｏｕｇｈｐｕｔ；ＨＴ）を支援し、送信エラーを最小化し、データ速度を最適化するために送信端及び受信端の両方に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術の適用が導入された。
【発明の概要】
【発明が解決しようとする課題】
【０００４】
次世代通信技術としてＭ２Ｍ（Ｍａｃｈｉｎｅ−ｔｏ−Ｍａｃｈｉｎｅ）通信技術が議論されている。ＩＥＥＥ  ８０２．１１  ＷＬＡＮシステムでもＭ２Ｍ通信を支援するための技術標準がＩＥＥＥ  ８０２．１１ａｈとして開発されている。Ｍ２Ｍ通信では、数多くの機器が存在する環境でたまに少量のデータを低速で通信するシナリオを考慮することができる。
【０００５】
無線ＬＡＮシステムにおける通信は、全ての機器間に共有される媒体（ｍｅｄｉｕｍ）で行われる。Ｍ２Ｍ通信のように機器の個数が増加する場合、一つの機器のチャネルアクセスのために長時間がかかると、全体システム性能の低下を招くだけでなく、各機器の省電力を妨害することがある。
【０００６】
本発明では、部分連携識別子を含むフレームの新しい構成方案を提供することを技術的課題とする。
【０００７】
本発明で遂げようとする技術的課題は以上に言及した技術的課題に制限されず、言及していない他の技術的課題は、以下の記載から、本発明の属する技術の分野における通常の知識を有する者に明確に理解されるであろう。
【課題を解決するための手段】
【０００８】
上記の技術的課題を解決するために、本発明の一実施例に係る無線通信システムにおけるステーション（ＳＴＡ）でアクセスポイント（ＡＰ）からフレームを受信する方法は、前記フレームの部分連携識別子（ＰＡＲＴＩＡＬ＿ＡＩＤ）フィールドの値が、前記ＡＰによって前記ＳＴＡに割り当てられるＡＩＤ及び前記ＡＰのＢＳＳＩＤ（Ｂａｓｉｃ  Ｓｅｒｖｉｃｅ  Ｓｅｔ  ＩＤ）に基づいて計算されたか否かを決定するステップと、前記フレームの前記部分ＡＩＤフィールドの値が、前記ＳＴＡに割り当てられた前記ＡＩＤ及び前記ＡＰの前記ＢＳＳＩＤに基づいて計算された場合に、前記フレームをデコードするステップと、を含み、ここで、前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる。
【０００９】
上記の技術的課題を解決するために、本発明の他の実施例に係る無線通信システムにおけるアクセスポイント（ＡＰ）でステーション（ＳＴＡ）にフレームを送信する方法は、前記ＡＰによって前記ＳＴＡに割り当てられる連携識別子（ＡＩＤ）及び前記ＡＰのＢＳＳＩＤ（Ｂａｓｉｃ  Ｓｅｒｖｉｃｅ  Ｓｅｔ  ＩＤ）に基づいて部分ＡＩＤ（ＰＡＲＴＩＡＬ＿ＡＩＤ）を計算するステップと、前記部分ＡＩＤの計算結果に該当する値に設定された部分ＡＩＤフィールドを含む前記フレームを前記ＳＴＡに送信するステップと、を含み、ここで、前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる。
【００１０】
上記の技術的課題を解決するために、本発明の更に他の実施例に係る無線通信システムにおけるアクセスポイント（ＡＰ）からフレームを受信するステーション（ＳＴＡ）装置は、送受信器と、プロセッサと、を備え、前記プロセッサは、前記フレームの部分連携識別子（ＰＡＲＴＩＡＬ＿ＡＩＤ）フィールドの値が、前記ＡＰによって前記ＳＴＡに割り当てられるＡＩＤ及び前記ＡＰのＢＳＳＩＤ（Ｂａｓｉｃ  Ｓｅｒｖｉｃｅ  Ｓｅｔ  ＩＤ）に基づいて計算されたか否かを決定し；前記フレームの前記部分ＡＩＤフィールドの値が、前記ＳＴＡに割り当てられた前記ＡＩＤ及び前記ＡＰの前記ＢＳＳＩＤに基づいて計算された場合に、前記フレームをデコードするように設定され、ここで、前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる。
【００１１】
上記の技術的課題を解決するために、本発明の更に他の実施例に係る無線通信システムにおけるステーション（ＳＴＡ）にフレームを送信するアクセスポイント（ＡＰ）装置は、送受信器と、プロセッサと、を備え、前記プロセッサは、前記ＡＰによって前記ＳＴＡに割り当てられる連携識別子（ＡＩＤ）及び前記ＡＰのＢＳＳＩＤ（Ｂａｓｉｃ  Ｓｅｒｖｉｃｅ  Ｓｅｔ  ＩＤ）に基づいて部分ＡＩＤ（ＰＡＲＴＩＡＬ＿ＡＩＤ）を計算し；前記部分ＡＩＤの計算結果に該当する値に設定された部分ＡＩＤフィールドを含む前記フレームを、前記送受信器を用いて前記ＳＴＡに送信するように設定され。ここで、前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる。
【００１２】
上記の本発明に係る実施例において以下の事項を共通に適用することができる。
【００１３】
前記ＡＩＤは、前記部分ＡＩＤ値がＯＢＳＳ（Ｏｖｅｒｌａｐｐｉｎｇ  ＢＳＳ）のＢＳＳＩＤの４８個のビット位置のうちの４０番目のビット位置から４８番目のビット位置までの値を１０進数に変換した値に対してモジューロ演算を適用することによって計算された第２部分ＡＩＤ値と同一にならないように割り当てられてもよい。
【００１４】
前記第１部分ＡＩＤ値は（ｄｅｃ（ＢＳＳＩＤ［３９：４７］）ｍｏｄ（２９−１））＋１であってもよい。ここで、ＢＳＳＩＤは、前記ＡＰのＢＳＳＩＤであり、ｄｅｃ（Ａ）は、Ａを１０進数に変換した値であり、Ａ［ｂ：ｃ」は、２進数Ａの最初のビットがｂｉｔ０のとき、前記Ａのｂｉｔ  ｂからｂｉｔ  ｃまでであり、ｍｏｄはモジューロ（ｍｏｄｕｌｏ）演算である。
【００１５】
前記第２部分ＡＩＤ値は、（ｄｅｃ（ＯＢＳＳ  ＢＳＳＩＤ［３９：４７］）ｍｏｄ（２９−１））＋１であってもよい。ここで、ＯＢＳＳ  ＢＳＳＩＤは前記ＯＢＳＳのＢＳＳＩＤであり、ｄｅｃ（Ａ）はＡを１０進数に変換した値であり、Ａ［ｂ：ｃ」は、２進数Ａの最初のビットがｂｉｔ０のとき、前記Ａのｂｉｔ  ｂからｂｉｔ  ｃまでであり、ｍｏｄはモジューロ（ｍｏｄｕｌｏ）演算である。
【００１６】
前記ＳＴＡに割り当てられた前記ＡＩＤ及び前記ＡＰの前記ＢＳＳＩＤに基づいて計算された前記部分ＡＩＤ値は、ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ  ２９によって計算されてもよい。ここで、ＡＩＤは前記ＳＴＡに割り当てられたＡＩＤであり、ＢＳＳＩＤは前記ＡＰのＢＳＳＩＤであり、ｄｅｃ（Ａ）はＡを１０進数に変換した値であり、Ａ［ｂ：ｃ」は、２進数Ａの最初のビットがｂｉｔ０のとき、前記Ａのｂｉｔ  ｂからｂｉｔ  ｃまでであり、ｍｏｄはモジューロ（ｍｏｄｕｌｏ）演算である。
【００１７】
前記ＡＰは、前記ＳＴＡが連携されたＡＰであってもよい。
【００１８】
前記ＡＩＤは、前記ＳＴＡに割り当てられた前記ＡＩＤ及び前記ＡＰの前記ＢＳＳＩＤに基づいて計算された前記部分ＡＩＤ値が０と同一にならないように割り当てられてもよい。
【００１９】
前記部分ＡＩＤフィールドは前記フレームのＳＩＧ−Ａフィールドに含まれてもよい。
【００２０】
前記フレームは単一ユーザ（ＳＵ）フレームであってもよい。
【００２１】
前記フレームは１ＧＨｚ以下（ｓｕｂ−１ＧＨｚ）動作周波数で定義されるフレームであってもよい。
本明細書は、例えば、以下の項目も提供する。
（項目１）
無線通信システムにおけるステーション（ＳＴＡ）でアクセスポイント（ＡＰ）からフレームを受信する方法であって、
前記フレームの部分連携識別子（ＰＡＲＴＩＡＬ＿ＡＩＤ）フィールドの値が、前記ＡＰによって前記ＳＴＡに割り当てられるＡＩＤ及び前記ＡＰのＢＳＳＩＤ（Ｂａｓｉｃ  Ｓｅｒｖｉｃｅ  Ｓｅｔ  ＩＤ）に基づいて計算されたか否かを決定するステップと、
前記フレームの前記部分ＡＩＤフィールドの値が、前記ＳＴＡに割り当てられた前記ＡＩＤ及び前記ＡＰの前記ＢＳＳＩＤに基づいて計算された場合に、前記フレームをデコードするステップと、を含み、
前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる、フレーム受信方法。
（項目２）
前記ＡＩＤは、前記部分ＡＩＤ値がＯＢＳＳ（Ｏｖｅｒｌａｐｐｉｎｇ  ＢＳＳ）のＢＳＳＩＤの４８個のビット位置のうちの４０番目のビット位置から４８番目のビット位置までの値を１０進数に変換した値に対してモジューロ演算を適用することによって計算された第２部分ＡＩＤ値と同一にならないように割り当てられる、項目１に記載のフレーム受信方法。
（項目３）
前記第１部分ＡＩＤ値は、（ｄｅｃ（ＢＳＳＩＤ［３９：４７］）ｍｏｄ（２９−１））＋１であり、
ＢＳＳＩＤは、前記ＡＰのＢＳＳＩＤであり、
ｄｅｃ（Ａ）はＡを１０進数に変換した値であり、
Ａ［ｂ：ｃ」は、２進数Ａの最初のビットがｂｉｔ０のとき、前記Ａのｂｉｔ  ｂからｂｉｔ  ｃまでであり、
ｍｏｄは、モジューロ（ｍｏｄｕｌｏ）演算である、項目１に記載のフレーム受信方法。
（項目４）
前記第２部分ＡＩＤ値は、（ｄｅｃ（ＯＢＳＳ  ＢＳＳＩＤ［３９：４７］）ｍｏｄ（２９−１））＋１であり、
ＯＢＳＳ  ＢＳＳＩＤは、前記ＯＢＳＳのＢＳＳＩＤであり、
ｄｅｃ（Ａ）は、Ａを１０進数に変換した値であり、
Ａ［ｂ：ｃ」は、２進数Ａの最初のビットがｂｉｔ０のとき、前記Ａのｂｉｔ  ｂからｂｉｔ  ｃまでであり、
ｍｏｄは、モジューロ（ｍｏｄｕｌｏ）演算である、項目２に記載のフレーム受信方法。
（項目５）
前記ＳＴＡに割り当てられた前記ＡＩＤ及び前記ＡＰの前記ＢＳＳＩＤに基づいて計算された前記部分ＡＩＤ値は、ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ  ２９によって計算され、
ＡＩＤは、前記ＳＴＡに割り当てられたＡＩＤであり、
ＢＳＳＩＤは、前記ＡＰのＢＳＳＩＤであり、
ｄｅｃ（Ａ）は、Ａを１０進数に変換した値であり、
Ａ［ｂ：ｃ」は、２進数Ａの最初のビットがｂｉｔ０のとき、前記Ａのｂｉｔ  ｂからｂｉｔ  ｃまでであり、
ｍｏｄは、モジューロ（ｍｏｄｕｌｏ）演算である、項目１に記載のフレーム受信方法。
（項目６）
前記ＡＰは、前記ＳＴＡが連携されたＡＰである、項目１に記載のフレーム受信方法。
（項目７）
前記ＡＩＤは、前記ＳＴＡに割り当てられた前記ＡＩＤ及び前記ＡＰの前記ＢＳＳＩＤに基づいて計算された前記部分ＡＩＤ値が０と同一にならないように割り当てられる、項目１に記載のフレーム受信方法。
（項目８）
前記部分ＡＩＤフィールドは前記フレームのＳＩＧ−Ａフィールドに含まれる、項目１に記載のフレーム受信方法。
（項目９）
前記フレームは単一ユーザ（ＳＵ）フレームである、項目１に記載のフレーム受信方法。
（項目１０）
前記フレームは、１ＧＨｚ以下（ｓｕｂ−１ＧＨｚ）動作周波数で定義されるフレームである、項目１に記載のフレーム受信方法。
（項目１１）
無線通信システムにおけるアクセスポイント（ＡＰ）でステーション（ＳＴＡ）にフレームを送信する方法であって、
前記ＡＰによって前記ＳＴＡに割り当てられる連携識別子（ＡＩＤ）及び前記ＡＰのＢＳＳＩＤ（Ｂａｓｉｃ  Ｓｅｒｖｉｃｅ  Ｓｅｔ  ＩＤ）に基づいて部分ＡＩＤ（ＰＡＲＴＩＡＬ＿ＡＩＤ）を計算するステップと、
前記部分ＡＩＤの計算結果に該当する値に設定された部分ＡＩＤフィールドを含む前記フレームを前記ＳＴＡに送信するステップと、
を含み、
前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる、フレーム送信方法。
（項目１２）
前記ＡＩＤは、前記部分ＡＩＤ値がＯＢＳＳ（Ｏｖｅｒｌａｐｐｉｎｇ  ＢＳＳ）のＢＳＳＩＤの４８個のビット位置のうちの４０番目のビット位置から４８番目のビット位置までの値を１０進数に変換した値に対してモジューロ演算を適用することによって計算された第２部分ＡＩＤ値と同一にならないように割り当てられる、項目１１に記載のフレーム送信方法。
（項目１３）
無線通信システムにおけるアクセスポイント（ＡＰ）からフレームを受信するステーション（ＳＴＡ）装置であって、
送受信器と、
プロセッサと、
を備え、
前記プロセッサは、前記フレームの部分連携識別子（ＰＡＲＴＩＡＬ＿ＡＩＤ）フィールドの値が、前記ＡＰによって前記ＳＴＡに割り当てられるＡＩＤ及び前記ＡＰのＢＳＳＩＤ（Ｂａｓｉｃ  Ｓｅｒｖｉｃｅ  Ｓｅｔ  ＩＤ）に基づいて計算されたか否かを決定し；前記フレームの前記部分ＡＩＤフィールドの値が、前記ＳＴＡに割り当てられた前記ＡＩＤ及び前記ＡＰの前記ＢＳＳＩＤに基づいて計算された場合に、前記フレームをデコードするように設定され、
前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる、フレーム受信ＳＴＡ装置。
（項目１４）
無線通信システムにおけるステーション（ＳＴＡ）にフレームを送信するアクセスポイント（ＡＰ）装置であって、
送受信器と、
プロセッサと、
を備え、
前記プロセッサは、前記ＡＰによって前記ＳＴＡに割り当てられる連携識別子（ＡＩＤ）及び前記ＡＰのＢＳＳＩＤ（Ｂａｓｉｃ  Ｓｅｒｖｉｃｅ  Ｓｅｔ  ＩＤ）に基づいて部分ＡＩＤ（ＰＡＲＴＩＡＬ＿ＡＩＤ）を計算し；前記部分ＡＩＤの計算結果に該当する値に設定された部分ＡＩＤフィールドを含む前記フレームを前記送受信器を用いて前記ＳＴＡに送信するように設定され、
前記ＡＩＤは、前記ＳＴＡに割り当てられた前記ＡＩＤ及び前記ＡＰの前記ＢＳＳＩＤに基づいて計算された前記部分ＡＩＤ値が、前記ＡＰのＢＳＳＩＤの４８個のビット位置のうちの４０番目のビット位置から４８番目のビット位置までの値を１０進数に変換した値に対してモジューロ演算を適用することによって計算された第１部分ＡＩＤ値と同一にならないように割り当てられる、フレーム送信ＡＰ装置。
【００２２】
本発明について前述した一般的な説明と後述する詳細な説明は例示的なもので、請求項に記載の発明に関する更なる説明のためのものである。
【発明の効果】
【００２３】
本発明では、部分連携識別子を含むフレームの新しい構成方法及び装置を提供することができる。
【００２４】
本発明で得られる効果は以上に言及した効果に制限されず、言及していない他の効果は、以下の記載から、本発明の属する技術の分野における通常の知識を有する者に明らかになるであろう。
【図面の簡単な説明】
【００２５】
本明細書に添付される図面は、本発明に関する理解を提供するためのもので、本発明の様々な実施の形態を示し、明細書の記載と共に本発明の原理を説明するためのものである。
【００２６】
【図１】図１は、本発明を適用し得るＩＥＥＥ  ８０２．１１システムの例示的な構造を示す図である。
【００２７】
【図２】図２は、本発明を適用し得るＩＥＥＥ  ８０２．１１システムの他の例示的な構造を示す図である。
【００２８】
【図３】図３は、本発明を適用し得るＩＥＥＥ  ８０２．１１システムの更に他の例示的な構造を示す図である。
【００２９】
【図４】図４は、無線ＬＡＮシステムの例示的な構造を示す図である。
【００３０】
【図５】図５は、無線ＬＡＮシステムにおけるリンクセットアップ過程を説明するための図である。
【００３１】
【図６】図６は、バックオフ過程を説明するための図である。
【００３２】
【図７】図７は、隠れたノード及び露出されたノードを説明するための図である。
【００３３】
【図８】図８は、ＲＴＳとＣＴＳを説明するための図である。
【００３４】
【図９】図９は、電力管理動作を説明するための図である。
【００３５】
【図１０】図１０乃至図１２は、ＴＩＭを受信したＳＴＡの動作を詳しく説明するための図である。
【図１１】図１０乃至図１２は、ＴＩＭを受信したＳＴＡの動作を詳しく説明するための図である。
【図１２】図１０乃至図１２は、ＴＩＭを受信したＳＴＡの動作を詳しく説明するための図である。
【００３６】
【図１３】図１３は、グループベースＡＩＤを説明するための図である。
【００３７】
【図１４】図１４は、ＳＵ／ＭＵフレームフォーマットを例示的に示す図である。
【００３８】
【図１５】図１５（ａ）は、ＡＩＤ再割当要請フレームフォーマットの一例を示し、図１５（ｂ）は、ＡＩＤ再割当応答フレームフォーマットの一例を示す。
【００３９】
【図１６】図１６は、ＳＩＧ−Ｂフィールドとして使用可能な固定されたシーケンスの例示を示す図である。
【００４０】
【図１７】図１７は、図１６の固定されたパターンがＰＰＤＵとして送信される場合に、ＳＩＧ−Ｂフィールドで反復される方法を説明するための図である。
【００４１】
【図１８】図１８は、本発明の一例に係るフレーム送受信方法を説明するための図である。
【００４２】
【図１９】図１９は、本発明の一実施例に係る無線装置の構成を示すブロック図である。
【発明を実施するための形態】
【００４３】
以下、本発明に係る好適な実施の形態を添付の図面を参照して詳しく説明する。添付の図面と共に以下に開示される詳細な説明は、本発明の例示的な実施の形態を説明するためのもので、本発明の唯一の実施の形態を示すためのものではない。以下の詳細な説明は本発明の完全な理解を提供するために具体的な細部事項を含む。しかし、このような具体的な細部事項なしにも本発明が実施され得るということが当業者には理解される。
【００４４】
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されてもよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００４５】
以下の説明で使われる特定用語は、本発明の理解を助けるために提供されるものであり、このような特定用語の使用は、本発明の技術的思想から逸脱しない範囲で他の形態に変更してもよい。
【００４６】
場合によって、本発明の概念が曖昧になることを避けるために、公知の構造及び装置は省略されたり、各構造及び装置の核心機能を中心にしたブロック図の形式で図示されることもある。また、本明細書全体を通じて同一の構成要素には同一の図面符号を付して説明する。
【００４７】
本発明の実施例は、無線アクセスシステムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００４８】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線アクセスシステムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。明確性のために、以下では３ＧＰＰ  ＬＴＥ及び３ＧＰＰ  ＬＴＥ−Ａシステムを中心に説明するが、本発明の技術的思想がこれに制限されるものではない。
【００４９】
ＷＬＡＮシステムの構造
【００５０】
図１は、本発明を適用できるＩＥＥＥ  ８０２．１１システムの例示的な構造を示す図である。
【００５１】
ＩＥＥＥ  ８０２．１１構造は複数個の構成要素を含むことができ、それら構成要素の相互作用によって上位層に対してトランスペアレントなＳＴＡ移動性を支援するＷＬＡＮを提供することができる。基本サービスセット（Ｂａｓｉｃ  Ｓｅｒｖｉｃｅ  Ｓｅｔ；ＢＳＳ）はＩＥＥＥ  ８０２．１１  ＬＡＮにおける基本的な構成ブロックに該当し得る。図１では、２個のＢＳＳ（ＢＳＳ１及びＢＳＳ２）が存在し、それぞれのＢＳＳのメンバーとして２個のＳＴＡが含まれること（ＳＴＡ１及びＳＴＡ２はＢＳＳ１に含まれ、ＳＴＡ３及びＳＴＡ４はＢＳＳ２に含まれる）を例示的に示している。図１で、ＢＳＳを示す楕円は、当該ＢＳＳに含まれたＳＴＡが通信を維持するカバレッジ領域を示すものと理解してもよい。この領域をＢＳＡ（Ｂａｓｉｃ  Ｓｅｒｖｉｃｅ  Ａｒｅａ）と称することができる。ＳＴＡがＢＳＡの外へ移動すると、当該ＢＳＡ内の他のＳＴＡと直接通信できなくなる。
【００５２】
ＩＥＥＥ  ８０２．１１  ＬＡＮにおいて最も基本的なタイプのＢＳＳは、独立したＢＳＳ（Ｉｎｄｅｐｅｎｄｅｎｔ  ＢＳＳ；ＩＢＳＳ）である。例えば、ＩＢＳＳは、２個のＳＴＡだけで構成された最小の形態を有することができる。また、最も単純な形態であるとともに他の構成要素が省略されている図１のＢＳＳ（ＢＳＳ１又はＢＳＳ２）がＩＢＳＳの代表的な例示に該当する。このような構成は、ＳＴＡ同士が直接通信できる場合に可能である。また、このような形態のＬＡＮは、あらかじめ計画して構成されるものではなく、ＬＡＮが必要な場合に構成され、これをアド−ホック（ａｄ−ｈｏｃ）ネットワークと呼ぶこともできる。
【００５３】
ＳＴＡがついたり消えたりすること、ＳＴＡがＢＳＳ領域に／から入ったり出たりすることなどによって、ＢＳＳにおいてＳＴＡのメンバーシップが動的に変更することがある。ＢＳＳのメンバーになるためには、ＳＴＡは同期化過程を用いてＢＳＳにジョインすればよい。ＢＳＳ基盤構造の全てのサービスにアクセスするためには、ＳＴＡはＢＳＳに連携されなければならない。このような連携（ａｓｓｏｃｉａｔｉｏｎ）は動的に設定され、分配システムサービス（Ｄｉｓｔｒｉｂｕｔｉｏｎ  Ｓｙｓｔｅｍ  Ｓｅｒｖｉｃｅ；ＤＳＳ）の利用を含んでもよい。
【００５４】
図２は、本発明を適用できるＩＥＥＥ  ８０２．１１システムの他の例示的な構造を示す図である。図２は、図１の構造において、分配システム（Ｄｉｓｔｒｉｂｕｔｉｏｎ  Ｓｙｓｔｅｍ；ＤＳ）、分配システム媒体（Ｄｉｓｔｒｉｂｕｔｉｏｎ  Ｓｙｓｔｅｍ  Ｍｅｄｉｕｍ；ＤＳＭ）、アクセスポイント（Ａｃｃｅｓｓ  Ｐｏｉｎｔ；ＡＰ）などの構成要素が追加された形態である。
【００５５】
ＬＡＮにおいて直接的なステーション−対−ステーションの距離はＰＨＹ性能によって制限されることがある。このような距離の限界が充分な場合もあれば、より遠い距離のステーション間の通信が必要な場合もある。拡張されたカバレッジを支援するために分配システム（ＤＳ）を構成することができる。
【００５６】
ＤＳは、ＢＳＳ同士が相互接続される構造を意味する。具体的に、図１のようにＢＳＳが独立して存在する代わりに、複数個のＢＳＳで構成されたネットワークの拡張された形態の構成要素としてＢＳＳが存在してもよい。
【００５７】
ＤＳは論理的な概念であり、分配システム媒体（ＤＳＭ）の特性によって特定することができる。これと関連して、ＩＥＥＥ  ８０２．１１標準では無線媒体（Ｗｉｒｅｌｅｓｓ  Ｍｅｄｉｕｍ；ＷＭ）と分配システム媒体（ＤＳＭ）とを論理的に区別している。それぞれの論理的媒体は互いに異なる目的のために使用され、互いに異なる構成要素によって使用される。ＩＥＥＥ  ８０２．１１標準の定義では、このような媒体を互いに同一なものとも、互いに異なるものとも制限しない。このように複数個の媒体が論理的に互いに異なるという点で、ＩＥＥＥ  ８０２．１１  ＬＡＮ構造（ＤＳ構造又は他のネットワーク構造）の柔軟性を説明することができる。すなわち、ＩＥＥＥ  ８０２．１１  ＬＡＮ構造は様々に具現することができ、それぞれの具現例の物理的な特性によって独立的に当該ＬＡＮ構造を特定することができる。
【００５８】
ＤＳは複数個のＢＳＳのシームレス（ｓｅａｍｌｅｓｓ）な統合を提供し、あて先へのアドレスを扱うために必要な論理的サービスを提供することによって移動機器を支援することができる。
【００５９】
ＡＰとは、連携されているＳＴＡに対してＷＭを通じてＤＳへのアクセスを可能にし、且つＳＴＡ機能性を有する個体を意味する。ＡＰを通じてＢＳＳ及びＤＳ間のデータ移動が行われてもよい。例えば、図２に示すＳＴＡ２及びＳＴＡ３は、ＳＴＡの機能性を有するとともに、連携されているＳＴＡ（ＳＴＡ１及びＳＴＡ４）をＤＳにアクセスさせる機能を持つ。また、いかなるＡＰも基本的にＳＴＡに該当するため、ＡＰはいずれもアドレス可能な個体である。ＷＭ上での通信のためにＡＰによって用いられるアドレスとＤＳＭ上での通信のためにＡＰによって用いられるアドレスは必ずしも同一である必要はない。
【００６０】
ＡＰに連携されているＳＴＡのいずれか一つから当該ＡＰのＳＴＡアドレスに送信されるデータは、常に非制御ポート（ｕｎｃｏｎｔｒｏｌｌｅｄ  ｐｏｒｔ）で受信され、ＩＥＥＥ  ８０２．１Ｘポートアクセス個体によって処理されてもよい。また、制御ポート（ｃｏｎｔｒｏｌｌｅｄ  ｐｏｒｔ）が認証されると、送信データ（又は、フレーム）はＤＳに伝達されてもよい。
【００６１】
図３は、本発明を適用できるＩＥＥＥ  ８０２．１１システムのさらに他の例示的な構造を示す図である。図３では、図２の構造にさらに広いカバレッジを提供するための拡張されたサービスセット（Ｅｘｔｅｎｄｅｄ  Ｓｅｒｖｉｃｅ  Ｓｅｔ；ＥＳＳ）を概念的に示す。
【００６２】
任意の（ａｒｂｉｔｒａｒｙ）大きさ及び複雑度を有する無線ネットワークがＤＳ及びＢＳＳで構成されてもよい。ＩＥＥＥ  ８０２．１１システムではこのような方式のネットワークをＥＳＳネットワークと称する。ＥＳＳは、一つのＤＳに接続されたＢＳＳの集合に該当し得る。しかし、ＥＳＳはＤＳを含まない。ＥＳＳネットワークはＬＬＣ（Ｌｏｇｉｃａｌ  Ｌｉｎｋ  Ｃｏｎｔｒｏｌ）層でＩＢＳＳネットワークとして見える点が特徴である。ＥＳＳに含まれるＳＴＡは互いに通信することができ、移動ＳＴＡはＬＬＣにトランスペアレントに一つのＢＳＳから他のＢＳＳに（同一ＥＳＳ内で）移動することができる。
【００６３】
ＩＥＥＥ  ８０２．１１では、図３におけるＢＳＳの相対的な物理的位置について何ら仮定しておらず、次のようないずれの形態も可能である。ＢＳＳは部分的に重なってもよく、これは、連続したカバレッジを提供するために一般に利用される形態である。また、ＢＳＳは物理的に接続していなくてもよく、論理的にはＢＳＳ同士間の距離に制限はない。また、ＢＳＳ同士は物理的に同一位置に位置してもよく、これはリダンダンシーを提供するために用いることができる。また、一つ（又は、一つ以上の）ＩＢＳＳ又はＥＳＳネットワークが一つ（又は一つ以上の）ＥＳＳネットワークとして同一空間に物理的に存在してもよい。これは、ＥＳＳネットワークが存在する位置にアド−ホックネットワークが動作する場合、互いに異なる機関（ｏｒｇａｎｉｚａｔｉｏｎｓ）によって物理的に重なるＩＥＥＥ  ８０２．１１ネットワークが構成される場合、又は、同一位置で２つ以上の互いに異なるアクセス及び保安政策が必要な場合などにおける、ＥＳＳネットワーク形態に該当し得る。
【００６４】
図４は、無線ＬＡＮシステムの例示的な構造を示す図である。図４では、ＤＳを含む基盤構造ＢＳＳの一例が示されている。
【００６５】
図４の例示で、ＢＳＳ１及びＢＳＳ２がＥＳＳを構成する。無線ＬＡＮシステムにおいてＳＴＡはＩＥＥＥ  ８０２．１１のＭＡＣ／ＰＨＹ規定に従って動作する機器である。ＳＴＡはＡＰ  ＳＴＡ及び非−ＡＰ（ｎｏｎ−ＡＰ）ＳＴＡを含む。Ｎｏｎ−ＡＰ  ＳＴＡは、ラップトップコンピュータ、移動電話機のように、一般にユーザが直接扱う機器に該当する。図４の例示で、ＳＴＡ１、ＳＴＡ３、ＳＴＡ４はｎｏｎ−ＡＰ  ＳＴＡに該当し、ＳＴＡ２及びＳＴＡ５はＡＰ  ＳＴＡに該当する。
【００６６】
以下の説明で、ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動端末（Ｍｏｂｉｌｅ  Ｔｅｒｍｉｎａｌ）、移動加入者局（Ｍｏｂｉｌｅ  Ｓｕｂｓｃｒｉｂｅｒ  Ｓｔａｔｉｏｎ；ＭＳＳ）などと呼ぶことができる。また、ＡＰは、他の無線通信分野における基地局（Ｂａｓｅ  Ｓｔａｔｉｏｎ；ＢＳ）、ノード−Ｂ（Ｎｏｄｅ−Ｂ）、発展したノード−Ｂ（ｅｖｏｌｖｅｄ  Ｎｏｄｅ−Ｂ；ｅＮＢ）、基底送受信システム（Ｂａｓｅ  Ｔｒａｎｓｃｅｉｖｅｒ  Ｓｙｓｔｅｍ；ＢＴＳ）、フェムト基地局（Ｆｅｍｔｏ  ＢＳ）などに対応する概念である。
【００６７】
リンクセットアップ過程
【００６８】
図５は、一般のリンクセットアップ（ｌｉｎｋ  ｓｅｔｕｐ）過程を説明するための図である。
【００６９】
ＳＴＡがネットワークに対してリンクをセットアップし、データを送受信するためには、まず、ネットワークを発見（ｄｉｓｃｏｖｅｒｙ）し、認証（ａｕｔｈｅｎｔｉｃａｔｉｏｎ）を行い、連携（ａｓｓｏｃｉａｔｉｏｎ）を確立（ｅｓｔａｂｌｉｓｈ）し、保安（ｓｅｃｕｒｉｔｙ）のための認証手順などを行わなければならない。リンクセットアップ過程をセッション開始過程、セッションセットアップ過程と呼ぶこともできる。また、リンクセットアップ過程における発見、認証、連携、保安設定の過程を総称して連携過程と呼ぶこともできる。
【００７０】
図５を参照して例示的なリンクセットアップ過程について説明する。
【００７１】
段階Ｓ５１０で、ＳＴＡはネットワーク発見動作を行うことができる。ネットワーク発見動作はＳＴＡのスキャニング（ｓｃａｎｎｉｎｇ）動作を含むことができる。すなわち、ＳＴＡがネットワークにアクセスするためには、参加可能なネットワークを探さなければならない。ＳＴＡは無線ネットワークに参加する前に互換可能なネットワークを識別しなければならないが、特定領域に存在するネットワーク識別過程をスキャニングという。
【００７２】
スキャニング方式には、能動的スキャニング（ａｃｔｉｖｅ  ｓｃａｎｎｉｎｇ）と受動的スキャニング（ｐａｓｓｉｖｅ  ｓｃａｎｎｉｎｇ）がある。
【００７３】
図５では例示として能動的スキャニング過程を含むネットワーク発見動作を示す。能動的スキャニングにおいて、スキャニングを行うＳＴＡはチャネルを移りながら周辺にどのＡＰが存在するかを探索するためにプローブ要請フレーム（ｐｒｏｂｅ  ｒｅｑｕｅｓｔ  ｆｒａｍｅ）を送信して、それに対する応答を待つ。応答者（ｒｅｓｐｏｎｄｅｒ）は、プローブ要請フレームを送信したＳＴＡに、プローブ要請フレームに対する応答としてプローブ応答フレーム（ｐｒｏｂｅ  ｒｅｓｐｏｎｓｅ  ｆｒａｍｅ）を送信する。ここで、応答者は、スキャニングされているチャネルのＢＳＳで最後にビーコンフレーム（ｂｅａｃｏｎ  ｆｒａｍｅ）を送信したＳＴＡであってもよい。ＢＳＳでは、ＡＰがビーコンフレームを送信するため、ＡＰが応答者となり、ＩＢＳＳでは、ＩＢＳＳ内のＳＴＡが交互にビーコンフレームを送信するため、応答者が一定でない。例えば、１番チャネルでプローブ要請フレームを送信し、１番チャネルでプローブ応答フレームを受信したＳＴＡは、受信したプローブ応答フレームに含まれたＢＳＳ関連情報を保存し、次のチャネル（例えば、２番チャネル）に移動して同一の方法でスキャニング（すなわち、２番チャネル上でプローブ要請／応答の送受信）を行うことができる。
【００７４】
図５には示していないが、スキャニング動作は受動的スキャニング方式で行われてもよい。受動的スキャニングにおいて、スキャニングを行うＳＴＡはチャネルを移りながらビーコンフレームを待つ。ビーコンフレームは、ＩＥＥＥ  ８０２．１１において管理フレーム（ｍａｎａｇｅｍｅｎｔ  ｆｒａｍｅ）の一つであり、無線ネットワークの存在を知らせ、スキャニングを行うＳＴＡが無線ネットワークを探して無線ネットワークに参加できるように、周期的に送信される。ＢＳＳでＡＰがビーコンフレームを周期的に送信する役割を担い、ＩＢＳＳではＩＢＳＳ内のＳＴＡが交互にビーコンフレームを送信する。スキャニングを行うＳＴＡはビーコンフレームを受信すると、ビーコンフレームに含まれたＢＳＳに関する情報を保存し、他のチャネルに移動しながら各チャネルでビーコンフレーム情報を記録する。ビーコンフレームを受信したＳＴＡは、受信したビーコンフレームに含まれたＢＳＳ関連情報を保存し、次のチャネルに移動して同一の方法で次のチャネルでスキャニングを行うことができる。
【００７５】
能動的スキャニングと受動的スキャニングとを比較すれば、能動的スキャニングが受動的スキャニングに比べてディレー（ｄｅｌａｙ）及び電力消耗が小さいという利点がある。
【００７６】
ＳＴＡがネットワークを発見した後に、段階Ｓ５２０で認証過程を行うことができる。このような認証過程は、後述する段階Ｓ５４０の保安セットアップ動作と明確に区別するために、第１の認証（ｆｉｒｓｔ  ａｕｔｈｅｎｔｉｃａｔｉｏｎ）過程と呼ぶことができる。
【００７７】
認証過程は、ＳＴＡが認証要請フレーム（ａｕｔｈｅｎｔｉｃａｔｉｏｎ  ｒｅｑｕｅｓｔ  ｆｒａｍｅ）をＡＰに送信し、これに応答してＡＰが認証応答フレーム（ａｕｔｈｅｎｔｉｃａｔｉｏｎ  ｒｅｓｐｏｎｓｅ  ｆｒａｍｅ）をＳＴＡに送信する過程を含む。認証要請／応答に用いられる認証フレーム（ａｕｔｈｅｎｔｉｃａｔｉｏｎ  ｆｒａｍｅ）は管理フレームに該当する。
【００７８】
認証フレームは、認証アルゴリズム番号（ａｕｔｈｅｎｔｉｃａｔｉｏｎ  ａｌｇｏｒｉｔｈｍ  ｎｕｍｂｅｒ）、認証トランザクションシーケンス番号（ａｕｔｈｅｎｔｉｃａｔｉｏｎ  ｔｒａｎｓａｃｔｉｏｎ  ｓｅｑｕｅｎｃｅ  ｎｕｍｂｅｒ）、状態コード（ｓｔａｔｕｓ  ｃｏｄｅ）、検問テキスト（ｃｈａｌｌｅｎｇｅ  ｔｅｘｔ）、ＲＳＮ（Ｒｏｂｕｓｔ  Ｓｅｃｕｒｉｔｙ  Ｎｅｔｗｏｒｋ）、有限循環グループ（Ｆｉｎｉｔｅ  Ｃｙｃｌｉｃ  Ｇｒｏｕｐ）などに関する情報を含むことができる。これは、認証要請／応答フレームに含まれ得る情報の一例示に過ぎず、他の情報に置き換わったり、追加の情報がさらに含まれたりしてもよい。
【００７９】
ＳＴＡは認証要請フレームをＡＰに送信することができる。ＡＰは、受信された認証要請フレームに含まれた情報に基づいて、当該ＳＴＡに対する認証を許容するか否かを決定することができる。ＡＰは認証処理の結果を認証応答フレームを通じてＳＴＡに提供することができる。
【００８０】
ＳＴＡが成功的に認証された後に、段階Ｓ５３０で連携過程を行うことができる。連携過程は、ＳＴＡが連携要請フレーム（ａｓｓｏｃｉａｔｉｏｎ  ｒｅｑｕｅｓｔ  ｆｒａｍｅ）をＡＰに送信し、それに応答してＡＰが連携応答フレーム（ａｓｓｏｃｉａｔｉｏｎ  ｒｅｓｐｏｎｓｅ  ｆｒａｍｅ）をＳＴＡに送信する過程を含む。
【００８１】
例えば、連携要請フレームは、様々な能力（ｃａｐａｂｉｌｉｔｙ）に関する情報、ビーコン聴取間隔（ｌｉｓｔｅｎ  ｉｎｔｅｒｖａｌ）、ＳＳＩＤ（ｓｅｒｖｉｃｅ  ｓｅｔ  ｉｄｅｎｔｉｆｉｅｒ）、支援レート（ｓｕｐｐｏｒｔｅｄ  ｒａｔｅｓ）、支援チャネル（ｓｕｐｐｏｒｔｅｄ  ｃｈａｎｎｅｌｓ）、ＲＳＮ、移動性ドメイン、支援オペレーティングクラス（ｓｕｐｐｏｒｔｅｄ  ｏｐｅｒａｔｉｎｇ  ｃｌａｓｓｅｓ）、ＴＩＭ放送要請（Ｔｒａｆｆｉｃ  Ｉｎｄｉｃａｔｉｏｎ  Ｍａｐ  Ｂｒｏａｄｃａｓｔ  ｒｅｑｕｅｓｔ）、相互動作（ｉｎｔｅｒｗｏｒｋｉｎｇ）サービス能力などに関する情報を含むことができる。
【００８２】
例えば、連携応答フレームは、様々な能力に関する情報、状態コード、ＡＩＤ（Ａｓｓｏｃｉａｔｉｏｎ  ＩＤ）、支援レート、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット、ＲＣＰＩ（Ｒｅｃｅｉｖｅｄ  Ｃｈａｎｎｅｌ  Ｐｏｗｅｒ  Ｉｎｄｉｃａｔｏｒ）、ＲＳＮＩ（Ｒｅｃｅｉｖｅｄ  Ｓｉｇｎａｌ  ｔｏ  Ｎｏｉｓｅ  Ｉｎｄｉｃａｔｏｒ）、移動性ドメイン、タイムアウト間隔（連携カムバック時間（ａｓｓｏｃｉａｔｉｏｎ  ｃｏｍｅｂａｃｋ  ｔｉｍｅ））、重畳（ｏｖｅｒｌａｐｐｉｎｇ）ＢＳＳスキャンパラメータ、ＴＩＭ放送応答、ＱｏＳマップなどの情報を含むことができる。
【００８３】
これは連携要請／応答フレームに含まれ得る情報の一例に過ぎず、他の情報に置き換わったり、追加の情報がさらに含まれたりしてもよい。
【００８４】
ＳＴＡがネットワークに成功的に連携された後に、段階Ｓ５４０で保安セットアップ過程を行うことができる。段階Ｓ５４０の保安セットアップ過程は、ＲＳＮＡ（Ｒｏｂｕｓｔ  Ｓｅｃｕｒｉｔｙ  Ｎｅｔｗｏｒｋ  Ａｓｓｏｃｉａｔｉｏｎ）要請／応答を通じた認証過程ということもでき、上記の段階Ｓ５２０の認証過程を第１の認証（ｆｉｒｓｔ  ａｕｔｈｅｎｔｉｃａｔｉｏｎ）過程とし、段階Ｓ５４０の保安セットアップ過程を単純に認証過程と呼ぶこともできる。
【００８５】
段階Ｓ５４０の保安セットアップ過程は、例えば、ＥＡＰＯＬ（Ｅｘｔｅｎｓｉｂｌｅ  Ａｕｔｈｅｎｔｉｃａｔｉｏｎ  Ｐｒｏｔｏｃｏｌ  ｏｖｅｒ  ＬＡＮ）フレームを通じた４−ウェイ（ｗａｙ）ハンドシェーキングを通じて、プライベートキーセットアップ（ｐｒｉｖａｔｅ  ｋｅｙ  ｓｅｔｕｐ）をする過程を含むことができる。また、保安セットアップ過程は、ＩＥＥＥ  ８０２．１１標準で定義しない保安方式によって行われてもよい。
【００８６】
ＷＬＡＮの進化
【００８７】
無線ＬＡＮで通信速度の限界を克服するために比較的最近に制定された技術標準としてＩＥＥＥ  ８０２．１１ｎがある。ＩＥＥＥ  ８０２．１１ｎは、ネットワークの速度と信頼性を増大させ、且つ無線ネットワークの運営距離を拡張することに目的がある。より具体的に、ＩＥＥＥ  ８０２．１１ｎは、データ処理速度が最大５４０Ｍｂｐｓ以上である高処理率（Ｈｉｇｈ  Ｔｈｒｏｕｇｈｐｕｔ；ＨＴ）を支援するとともに、送信エラーを最小化し、データ速度を最適化するために送信端と受信端の両方とも多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づいている。
【００８８】
無線ＬＡＮの普及が活性化され、さらにそれを用いたアプリケーションが多様化するに伴って、最近ではＩＥＥＥ  ８０２．１１ｎが支援するデータ処理速度よりも高い処理率を支援するための新しい無線ＬＡＮシステムの必要性が台頭している。超高処理率（Ｖｅｒｙ  Ｈｉｇｈ  Ｔｈｒｏｕｇｈｐｕｔ；ＶＨＴ）を支援する次世代無線ＬＡＮシステムは、ＩＥＥＥ  ８０２．１１ｎ無線ＬＡＮシステムの次のバージョン（例えば、ＩＥＥＥ  ８０２．１１ａｃ）であり、ＭＡＣサービスアクセスポイント（Ｓｅｒｖｉｃｅ  Ａｃｃｅｓｓ  Ｐｏｉｎｔ；ＳＡＰ）で１Ｇｂｐｓ以上のデータ処理速度を支援するために最近に新しく提案されているＩＥＥＥ  ８０２．１１無線ＬＡＮシステムの一つである。
【００８９】
次世代無線ＬＡＮシステムは、無線チャネルを效率的に利用するために複数のＳＴＡが同時にチャネルにアクセスするＭＵ−ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）方式の送信を支援する。ＭＵ−ＭＩＭＯ送信方式によれば、ＡＰが、ＭＩＭＯペアリング（ｐａｉｒｉｎｇ）された一つ以上のＳＴＡに同時にパケットを送信することができる。
【００９０】
また、ホワイトスペース（ｗｈｉｔｅ  ｓｐａｃｅ）で無線ＬＡＮシステム動作を支援することが議論されている。例えば、アナログＴＶのデジタル化による遊休状態の周波数帯域（例えば、５４〜６９８ＭＨｚ帯域）のようなＴＶホワイトスペース（ＴＶＷＳ）での無線ＬＡＮシステムの導入は、ＩＥＥＥ  ８０２．１１ａｆ標準として議論されている。しかし、これは例示に過ぎず、ホワイトスペースは、許可されたユーザ（ｌｉｃｅｎｓｅｄ  ｕｓｅｒ）が優先して使用できる許可された帯域といえる。許可されたユーザは、許可された帯域の使用が許可されたユーザのことを意味し、許可された装置（ｌｉｃｅｎｓｅｄ  ｄｅｖｉｃｅ）、プライマリユーザ（ｐｒｉｍａｒｙ  ｕｓｅｒ）、優先的ユーザ（ｉｎｃｕｍｂｅｎｔ  ｕｓｅｒ）などと呼ぶこともできる。
【００９１】
例えば、ＷＳで動作するＡＰ及び／又はＳＴＡは、許可されたユーザに対する保護（ｐｒｏｔｅｃｔｉｏｎ）機能を提供しなければならない。例えば、ＷＳ帯域で特定帯域幅を有するように規約（ｒｅｇｕｌａｔｉｏｎ）上分割されている周波数帯域である特定ＷＳチャネルを、マイクロホン（ｍｉｃｒｏｐｈｏｎｅ）のような許可されたユーザが既に使用している場合、許可されたユーザを保護するために、ＡＰ及び／又はＳＴＡは当該ＷＳチャネルに該当する周波数帯域は使用することができない。また、ＡＰ及び／又はＳＴＡは、現在フレーム送信及び／又は受信のために使用している周波数帯域を許可されたユーザが使用するようになると、当該周波数帯域の使用を中止しなければならない。
【００９２】
そのため、ＡＰ及び／又はＳＴＡは、ＷＳ帯域中の特定周波数帯域の使用が可能か否か、すなわち、当該周波数帯域に許可されたユーザが存在するか否かを把握する手順を先行しなければならない。許可されたユーザが特定周波数帯域に存在するか否かを把握することをスペクトルセンシング（ｓｐｅｃｔｒｕｍ  ｓｅｎｓｉｎｇ）という。スペクトルセンシングメカニズムとして、エネルギー探知（ｅｎｅｒｇｙ  ｄｅｔｅｃｔｉｏｎ）方式、信号探知（ｓｉｇｎａｔｕｒｅ  ｄｅｔｅｃｔｉｏｎ）方式などが活用される。受信信号の強度が一定値以上であれば、許可されたユーザが使用中であると判断したり、ＤＴＶプリアンブル（ｐｒｅａｍｂｌｅ）が検出されると、許可されたユーザが使用中であると判断すればよい。
【００９３】
また、次世代通信技術としてＭ２Ｍ（Ｍａｃｈｉｎｅ−ｔｏ−Ｍａｃｈｉｎｅ）通信技術が議論されている。ＩＥＥＥ  ８０２．１１無線ＬＡＮシステムでもＭ２Ｍ通信を支援するための技術標準がＩＥＥＥ  ８０２．１１ａｈとして開発されている。Ｍ２Ｍ通信は、一つ以上のマシン（Ｍａｃｈｉｎｅ）が含まれる通信方式を意味し、ＭＴＣ（Ｍａｃｈｉｎｅ  Ｔｙｐｅ  Ｃｏｍｍｕｎｉｃａｔｉｏｎ）又は事物通信と呼ばれることもある。ここで、マシンとは、人間の直接的な操作や介入を必要としない個体（ｅｎｔｉｔｙ）を意味する。例えば、無線通信モジュールが搭載された検針機（ｍｅｔｅｒ）や自動販売機のような装置を含めて、ユーザの操作／介入無しで自動でネットワークに接続して通信を行うことができるスマートフォンのようなユーザ機器もマシンの例示に該当し得る。Ｍ２Ｍ通信は、デバイス間の通信（例えば、Ｄ２Ｄ（Ｄｅｖｉｃｅ−ｔｏ−Ｄｅｖｉｃｅ）通信）、デバイスとサーバー（ａｐｐｌｉｃａｔｉｏｎ  ｓｅｒｖｅｒ）間の通信などを含むことができる。デバイスとサーバー間の通信の例示としては、自動販売機とサーバー、ＰＯＳ（Ｐｏｉｎｔ  ｏｆ  Ｓａｌｅ）装置とサーバー、電気、ガス又は水道検針機とサーバー間の通信が挙げられる。その他にも、Ｍ２Ｍ通信ベースのアプリケーション（ａｐｐｌｉｃａｔｉｏｎ）には、保安（ｓｅｃｕｒｉｔｙ）、運送（ｔｒａｎｓｐｏｒｔａｔｉｏｎ）、ヘルスケア（ｈｅａｌｔｈ  ｃａｒｅ）などが含まれてもよい。このような適用例の特性を考慮すると、一般に、Ｍ２Ｍ通信は、数多くの機器が存在する環境でたまに少量のデータを低速で送受信することを支援できるものでなければならない。
【００９４】
具体的に、Ｍ２Ｍ通信は多数のＳＴＡを支援できるものでなければならない。現在定義されている無線ＬＡＮシステムでは、一つのＡＰに最大２００７個のＳＴＡが連携される場合を仮定するが、Ｍ２Ｍ通信ではそれよりも多い個数（約６０００個）のＳＴＡが一つのＡＰに連携される場合を支援する方案が議論されている。また、Ｍ２Ｍ通信では低い送信速度を支援／要求するアプリケーションが多いと予想される。これを円滑に支援するために、例えば、無線ＬＡＮシステムでは、ＴＩＭ（Ｔｒａｆｆｉｃ  Ｉｎｄｉｃａｔｉｏｎ  Ｍａｐ）要素に基づいてＳＴＡが自身に送信されるデータの有無を認知できるが、ＴＩＭのビットマップサイズを減らす方案が議論されている。また、Ｍ２Ｍ通信では送信／受信間隔が非常に長いトラフィックが多いと予想される。例えば、電気／ガス／水道の使用量のように長い周期（例えば、１ケ月）ごとに大変少ない量のデータをやり取りすることが要求される。そのため、無線ＬＡＮシステムでは、一つのＡＰに連携され得るＳＴＡの個数が非常に多くなっても、一つのビーコン周期の間にＡＰから受信するデータフレームが存在するＳＴＡの個数が大変少ない場合を效率的に支援する方案が議論されている。
【００９５】
このように無線ＬＡＮ技術は急速に進化しつつあり、前述の例示に加えて、直接リンクセットアップ、メディアストリーミング性能の改善、高速及び／又は大規模の初期セッションセットアップの支援、拡張された帯域幅及び動作周波数の支援などのための技術が開発されている。
【００９６】
１ＧＨｚ未満（ｓｕｂ−１ＧＨｚ）で動作するＷＬＡＮ
【００９７】
前述したように、Ｍ２Ｍ通信をユースケース（ｕｓｅ  ｃａｓｅ）とするＩＥＥＥ  ８０２．１１ａｈ標準が議論されている。ＩＥＥＥ  ８０２．１１ａｈ標準は、１ＧＨｚ未満（ｓｕｂ−１ＧＨｚ）の動作周波数においてＴＶホワイトスペース帯域（ｗｈｉｔｅｓｐａｃｅ  ｂａｎｄ）を除いた非免許（ｕｎｌｉｃｅｎｓｅｄ）帯域で動作し、既存の室内（ｉｎｄｏｏｒ）カバレッジを主に支援していたＷＬＡＮに比べて格段に広いカバレッジ（例えば、最大１ｋｍ）を有することができる。すなわち、既存の２．４ＧＨｚや５ＧＨｚの周波数で動作するＷＬＡＮと違い、ｓｕｂ−１ＧＨｚ（例えば、７００乃至９００ＭＨｚ）動作周波数帯域でＷＬＡＮが用いられると、当該帯域の伝搬特性によって、同一伝送電力でＡＰのカバレッジが略２〜３倍に拡張される。この場合、一つのＡＰ当たり極めて多数のＳＴＡが接続可能であるという特徴を有する。ＩＥＥＥ  ８０２．１１ａｈ標準で考慮しているユースケースを要約すると、下記の表１の通りである。
【００９８】
【表１】
0005866479.tif 000002
【００９９】
上記の表１のユースケース１によれば、種々のセンサー／メーター装置が８０２．１１ａｈＡＰに接続してＭ２Ｍ通信を行うことができる。特に、スマートグリッド（ｓｍａｒｔ  ｇｒｉｄ）の場合、最大６，０００個のセンサー／メーター装置が一つのＡＰに接続することができる。
【０１００】
上記の表１のユースケース２によれば、広いカバレッジを提供する８０２．１１ａｈ  ＡＰが、ＩＥＥＥ  ８０２．１５．４ｇのような他のシステムにおいてバックホールリンク（ｂａｃｋｈａｕｌ  ｌｉｎｋ）の役割を担うことができる。
【０１０１】
上記の表１のユースケース３によれば、拡張されたホームカバレッジ（Ｅｘｔｅｎｄｅｄ  ｈｏｍｅ  ｃｏｖｅｒａｇｅ）、キャンパス広さのカバレッジ（Ｃａｍｐｕｓ  ｗｉｄｅ  ｃｏｖｅｒａｇｅ）、ショッピングモール（Ｓｈｏｐｐｉｎｇ  ｍａｌｌｓ）のような室外拡張された範囲のホットスポット（ｏｕｔｄｏｏｒ  ｅｘｔｅｎｄｅｄ  ｒａｎｇｅ  ｈｏｔｓｐｏｔ）通信を支援することができる。また、ユースケース３によれば、８０２．１１ａｈ  ＡＰがセルラー移動通信のトラフィックオフローディング（ｔｒａｆｆｉｃ  ｏｆｆｌｏａｄｉｎｇ）を支援することによって、セルラートラフィックの過負荷を分散させる機能を果たすこともできる。
【０１０２】
このようなｓｕｂ−１ＧＨｚ帯域における通信のための物理層（ＰＨＹ）の構成は、既存のＩＥＥＥ  ８０２．１１ａｃ  ＰＨＹを１／１０ダウンクロッキング（ｄｏｗｎ−ｃｌｏｃｋｉｎｇ）することによって具現することができる。この場合、８０２．１１ａｃにおける２０／４０／８０／１６０／８０＋８０ＭＨｚチャネル帯域幅は、１／１０ダウンクロッキングを用いて、ｓｕｂ−１ＧＨｚ帯域で２／４／８／１６／８＋８ＭＨｚチャネル帯域幅を提供することができる。これによって、ガード区間（Ｇｕａｒｄ  Ｉｎｔｅｒｖａｌ；ＧＩ）は０．８μｓから８μｓへと１０倍増加する。下記の表２は、８０２．１１ａｃ  ＰＨＹの処理量（ｔｈｒｏｕｇｈｐｕｔ）と、１／１０ダウンクロッキングされたｓｕｂ−１ＧＨｚ  ＰＨＹの処理量とを比較するものである。
【０１０３】
【表２】
0005866479.tif 000003
【０１０４】
媒体アクセスメカニズム
【０１０５】
ＩＥＥＥ  ８０２．１１に基づく無線ＬＡＮシステムにおいて、ＭＡＣ（Ｍｅｄｉｕｍ  Ａｃｃｅｓｓ  Ｃｏｎｔｒｏｌ）の基本アクセスメカニズムは、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムである。ＣＳＭＡ／ＣＡメカニズムは、ＩＥＥＥ  ８０２．１１  ＭＡＣの分配調整機能（Ｄｉｓｔｒｉｂｕｔｅｄ  Ｃｏｏｒｄｉｎａｔｉｏｎ  Ｆｕｎｃｔｉｏｎ、ＤＣＦ）とも呼ばれるが、基本的に「ｌｉｓｔｅｎ  ｂｅｆｏｒｅ  ｔａｌｋ」アクセスメカニズムを採用している。このような類型のアクセスメカニズムによれば、ＡＰ及び／又はＳＴＡは送信を開始するに先立ち、所定の時間区間（例えば、ＤＩＦＳ（ＤＣＦ  Ｉｎｔｅｒ−Ｆｒａｍｅ  Ｓｐａｃｅ）の間に無線チャネル又は媒体（ｍｅｄｉｕｍ）をセンシング（ｓｅｎｓｉｎｇ）するＣＣＡ（Ｃｌｅａｒ  Ｃｈａｎｎｅｌ  Ａｓｓｅｓｓｍｅｎｔ）を行うことができる。センシングの結果、媒体が遊休状態（ｉｄｌｅ  ｓｔａｔｕｓ）と判断されると、当該媒体を通じてフレーム送信を始める。一方、媒体が占有状態（ｏｃｃｕｐｉｅｄ  ｓｔａｔｕｓ）と感知されると、当該ＡＰ及び／又はＳＴＡは自分の送信を開始せず、媒体アクセスのための遅延期間（例えば、任意バックオフ周期（ｒａｎｄｏｍ  ｂａｃｋｏｆｆ  ｐｅｒｉｏｄ））を設定して待った後、フレーム送信を試みることができる。任意バックオフ周期の適用から、複数のＳＴＡはそれぞれ異なった時間待った後にフレーム送信を試みることが期待されるため、衝突（ｃｏｌｌｉｓｉｏｎ）を最小化することができる。
【０１０６】
また、ＩＥＥＥ  ８０２．１１  ＭＡＣプロトコルはＨＣＦ（Ｈｙｂｒｉｄ  Ｃｏｏｒｄｉｎａｔｉｏｎ  Ｆｕｎｃｔｉｏｎ）を提供する。ＨＣＦはＤＣＦとＰＣＦ（Ｐｏｉｎｔ  Ｃｏｏｒｄｉｎａｔｉｏｎ  Ｆｕｎｃｔｉｏｎ）に基づく。ＰＣＦは、ポーリング（ｐｏｌｌｉｎｇ）ベースの同期式アクセス方式で、全ての受信ＡＰ及び／又はＳＴＡがデータフレームを受信できるように周期的にポーリングする方式のことをいう。また、ＨＣＦは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）とＨＣＣＡ（ＨＣＦ  Ｃｏｎｔｒｏｌｌｅｄ  Ｃｈａｎｎｅｌ  Ａｃｃｅｓｓ）を有する。ＥＤＣＡは、提供者が複数のユーザにデータフレームを提供するためのアクセス方式を競合ベースとするものであり、ＨＣＣＡは、ポーリングメカニズムを用いた非競合ベースのチャネルアクセス方式を用いるものである。また、ＨＣＦは、ＷＬＡＮのＱｏＳ（Ｑｕａｌｉｔｙ  ｏｆ  Ｓｅｒｖｉｃｅ）を向上させるための媒体アクセスメカニズムを含み、競合周期（Ｃｏｎｔｅｎｔｉｏｎ  Ｐｅｒｉｏｄ；ＣＰ）、非競合周期（Ｃｏｎｔｅｎｔｉｏｎ  Ｆｒｅｅ  Ｐｅｒｉｏｄ；ＣＦＰ）のいずれにおいてもＱｏＳデータを送信することができる。
【０１０７】
図６は、バックオフ過程を説明するための図である。
【０１０８】
図６を参照して任意バックオフ周期に基づく動作について説明する。占有（ｏｃｃｕｐｙ又はｂｕｓｙ）状態だった媒体が遊休（ｉｄｌｅ）状態に変更されると、複数のＳＴＡはデータ（又はフレーム）送信を試みることができる。この時、衝突を最小化するための方案として、ＳＴＡはそれぞれ任意バックオフカウントを選択し、それに該当するスロット時間だけ待機した後、送信を試みることができる。任意バックオフカウントは、擬似−任意整数（ｐｓｅｕｄｏ−ｒａｎｄｏｍ  ｉｎｔｅｇｅｒ）値を有し、０乃至ＣＷ範囲の値のいずれか一つに決定され得る。ここで、ＣＷは、競合ウィンドウ（Ｃｏｎｔｅｎｔｉｏｎ  Ｗｉｎｄｏｗ）パラメータ値である。ＣＷパラメータは初期値としてＣＷｍｉｎが与えられるが、送信失敗の場合（例えば、送信されたフレームに対するＡＣＫを受信できなかった場合）に２倍の値を取ることができる。ＣＷパラメータ値がＣＷｍａｘになると、データ送信に成功するまでＣＷｍａｘ値を維持しながらデータ送信を試みることができ、データ送信に成功する場合にはＣＷｍｉｎ値にリセットされる。ＣＷ、ＣＷｍｉｎ及びＣＷｍａｘ値は２ｎ−１（ｎ＝０，１，２，…）に設定されることが好ましい。
【０１０９】
任意バックオフ過程が始まると、ＳＴＡは、決定されたバックオフカウント値によってバックオフスロットをカウントダウンする間に続けて媒体をモニタする。媒体が占有状態とモニタされるとカウントダウンを止めて待機し、媒体が遊休状態になると残りのカウントダウンを再開する。
【０１１０】
図６の例示で、ＳＴＡ３のＭＡＣに送信するパケットが到達した場合に、ＳＴＡ３はＤＩＦＳだけ媒体が遊休状態であることを確認し、直ちにフレームを送信することができる。一方、残りのＳＴＡは、媒体が占有（ｂｕｓｙ）状態であることをモニタして待機する。その間にＳＴＡ１、ＳＴＡ２及びＳＴＡ５のそれぞれでも送信するデータが発生することがあり、それぞれのＳＴＡは、媒体が遊休状態とモニタされると、ＤＩＦＳだけ待機した後に、それぞれ選択した任意バックオフカウント値によってバックオフスロットのカウントダウンを行うことができる。図６の例示では、ＳＴＡ２が最も小さいバックオフカウント値を選択し、ＳＴＡ１が最も大きいバックオフカウント値を選択した場合を示す。すなわち、ＳＴＡ２がバックオフカウントを終えてフレーム送信を始める時点でＳＴＡ５の残余バックオフ時間はＳＴＡ１の残余バックオフ時間よりも短い場合を例示する。ＳＴＡ１及びＳＴＡ５は、ＳＴＡ２が媒体を占有する間に暫くカウントダウンを止めて待機する。ＳＴＡ２の占有が終了して媒体が再び遊休状態になると、ＳＴＡ１及びＳＴＡ５はＤＩＦＳだけ待機した後に、止めていたバックオフカウントを再開する。すなわち、残余バックオフ時間だけの余りのバックオフスロットをカウントダウンした後にフレーム送信を始めることができる。ＳＴＡ５の残余バックオフ時間がＳＴＡ１よりも短かったため、ＳＴＡ５がフレーム送信を始めるようになる。一方、ＳＴＡ２が媒体を占有する間にＳＴＡ４でも送信するデータが発生することがある。このとき、ＳＴＡ４の立場では、媒体が遊休状態になるとＤＩＦＳだけ待機した後、自身が選択した任意バックオフカウント値によるカウントダウンを行ってフレーム送信を始めることができる。図６の例示では、ＳＴＡ５の残余バックオフ時間がＳＴＡ４の任意バックオフカウント値と偶然に一致する場合を示し、この場合、ＳＴＡ４とＳＴＡ５間に衝突が発生することがある。衝突が発生する場合はＳＴＡ４、ＳＴＡ５両方ともＡＣＫを受けることができず、データ送信に失敗することになる。この場合、ＳＴＡ４とＳＴＡ５はＣＷ値を２倍に増やした後に任意バックオフカウント値を選択してカウントダウンを行うことができる。一方、ＳＴＡ１は、ＳＴＡ４とＳＴＡ５の送信によって媒体が占有状態である間に待機しているが、媒体が遊休状態になると、ＤＩＦＳだけ待機した後、残余バックオフ時間が経過するとフレーム送信を開始することができる。
【０１１１】
ＳＴＡのセンシング動作
【０１１２】
前述したように、ＣＳＭＡ／ＣＡメカニズムは、ＡＰ及び／又はＳＴＡが媒体を直接センシングする物理的キャリアセンシング（ｐｈｙｓｉｃａｌ  ｃａｒｒｉｅｒ  ｓｅｎｓｉｎｇ）の他、仮想キャリアセンシング（ｖｉｒｔｕａｌ  ｃａｒｒｉｅｒ  ｓｅｎｓｉｎｇ）も含む。仮想キャリアセンシングは、隠れたノード問題（ｈｉｄｄｅｎ  ｎｏｄｅ  ｐｒｏｂｌｅｍ）などのように媒体アクセスで発生し得る問題を補完するために用いられる。仮想キャリアセンシングのために、無線ＬＡＮシステムのＭＡＣはネットワーク割当ベクトル（Ｎｅｔｗｏｒｋ  Ａｌｌｏｃａｔｉｏｎ  Ｖｅｃｔｏｒ；ＮＡＶ）を用いることができる。ＮＡＶは、現在媒体を利用していたり又は利用する権限のあるＡＰ及び／又はＳＴＡが、媒体を使用可能な状態になるまで残っている時間を、他のＡＰ及び／又はＳＴＡに指示（ｉｎｄｉｃａｔｅ）する値である。したがって、ＮＡＶに設定された値は、当該フレームを送信するＡＰ及び／又はＳＴＡによって媒体の利用が予定されている期間に該当し、ＮＡＶ値を受信するＳＴＡは、当該期間において媒体アクセス（又は、チャネルアクセス）が禁止（ｐｒｏｈｉｂｉｔ）又は延期（ｄｅｆｅｒ）される。ＮＡＶは、例えば、フレームのＭＡＣヘッダ（ｈｅａｄｅｒ）の「ｄｕｒａｔｉｏｎ」フィールドの値によって設定されてもよい。
【０１１３】
また、衝突可能性を低減するために堅牢な衝突検出（ｒｏｂｕｓｔ  ｃｏｌｌｉｓｉｏｎ  ｄｅｔｅｃｔ）メカニズムが導入された。これについて図７及び図８を参照して説明する。実際にキャリアセンシング範囲と送信範囲は同一でないこともあるが、説明の便宜のために両者は同一であると仮定する。
【０１１４】
図７は、隠れたノード及び露出されたノードを説明するための図である。
【０１１５】
図７（ａ）は、隠れたノードに対する例示であり、ＳＴＡ  ＡとＳＴＡ  Ｂとが通信中にあり、ＳＴＡ  Ｃが送信する情報を持っている場合である。具体的に、ＳＴＡ  ＡがＳＴＡ  Ｂに情報を送信している状況であるにもかかわらず、ＳＴＡ  ＣがＳＴＡ  Ｂにデータを送る前にキャリアセンシングを行う際、媒体が遊休状態にあると判断することがある。これは、ＳＴＡ  Ａの送信（すなわち、媒体占有）をＳＴＡ  Ｃの位置ではセンシングできないこともあるためである。このような場合、ＳＴＡ  ＢはＳＴＡ  ＡとＳＴＡ  Ｃの情報を同時に受け、衝突が発生することになる。このとき、ＳＴＡ  ＡをＳＴＡ  Ｃの隠れたノードということができる。
【０１１６】
図７（ｂ）は、露出されたノード（ｅｘｐｏｓｅｄ  ｎｏｄｅ）に対する例示であり、ＳＴＡ  ＢがＳＴＡ  Ａにデータを送信している状況で、ＳＴＡ  ＣがＳＴＡ  Ｄに送信する情報を持っている場合である。この場合、ＳＴＡ  Ｃがキャリアセンシングを行うと、ＳＴＡ  Ｂの送信によって媒体が占有された状態であると判断することができる。そのため、ＳＴＡ  ＣがＳＴＡ  Ｄに送信する情報を持っていても、媒体占有状態とセンシングされたため、媒体が遊休状態になるまで待たなければならない。しかし、実際にはＳＴＡ  ＡはＳＴＡ  Ｃの送信範囲外にあるため、ＳＴＡ  Ｃからの送信とＳＴＡ  Ｂからの送信とがＳＴＡ  Ａの立場では衝突しないこともあるため、ＳＴＡ  Ｃは、ＳＴＡ  Ｂが送信を止めるまで余計に待機することになる。このとき、ＳＴＡ  ＣをＳＴＡ  Ｂの露出されたノードということができる。
【０１１７】
図８は、ＲＴＳとＣＴＳを説明するための図である。
【０１１８】
図７のような例示的な状況で衝突回避（ｃｏｌｌｉｓｉｏｎ  ｖｏｉｄａｎｃｅ）メカニズムを效率的に利用するために、ＲＴＳ（ｒｅｑｕｅｓｔ  ｔｏ  ｓｅｎｄ）とＣＴＳ（ｃｌｅａｒ  ｔｏ  ｓｅｎｄ）などの短いシグナリングパケット（ｓｈｏｒｔ  ｓｉｇｎａｌｉｎｇ  ｐａｃｋｅｔ）を利用することができる。両ＳＴＡ間のＲＴＳ／ＣＴＳは周囲のＳＴＡがオーバーヒヤリング（ｏｖｅｒｈｅａｒｉｎｇ）できるようにし、この周囲のＳＴＡが上記両ＳＴＡ間の情報送信の有無を考慮するようにすることができる。例えば、データを送信しようとするＳＴＡがデータを受けるＳＴＡにＲＴＳフレームを送信すると、データを受けるＳＴＡはＣＴＳフレームを周囲のＳＴＡに送信することによって、自身がデータを受けることを知らせることができる。
【０１１９】
図８（ａ）は、隠れたノード問題を解決する方法に関する例示であり、ＳＴＡ  ＡとＳＴＡ  ＣがいずれもＳＴＡ  Ｂにデータを送信しようとする場合を仮定する。ＳＴＡ  ＡがＲＴＳをＳＴＡ  Ｂに送ると、ＳＴＡ  ＢはＣＴＳを自身の周囲にあるＳＴＡ  Ａ及びＳＴＡ  Ｃの両方に送信する。その結果、ＳＴＡ  ＣはＳＴＡ  ＡとＳＴＡ  Ｂのデータ送信が終わるまで待機し、衝突を避けることができる。
【０１２０】
図８（ｂ）は、露出されたノード問題を解決する方法に関する例示であり、ＳＴＡ  ＡとＳＴＡ  Ｂ間のＲＴＳ／ＣＴＳ送信をＳＴＡ  Ｃがオーバーヒヤリングすることによって、ＳＴＡ  Ｃは自身が他のＳＴＡ（例えば、ＳＴＡ  Ｄ）にデータを送信しても衝突が発生しないと判断することができる。すなわち、ＳＴＡ  Ｂは周囲の全ＳＴＡにＲＴＳを送信し、実際に送るデータを持っているＳＴＡ  ＡのみがＣＴＳを送信するようになる。ＳＴＡ  Ｃは、ＲＴＳのみを受信し、ＳＴＡ  ＡのＣＴＳは受信できなかったため、ＳＴＡ  ＡがＳＴＡ  Ｃのキャリアセンシング外にあるということがわかる。
【０１２１】
電力管理
【０１２２】
前述したように、無線ＬＡＮシステムではＳＴＡが送受信を行う前にチャネルセンシングを行わなければならないが、チャネルを常にセンシングすることはＳＴＡの持続的な電力消耗を引き起こす。受信状態での電力消耗は送信状態での電力消耗と大差がないため、受信状態を持続することも、電力の制限された（すなわち、バッテリーによって動作する）ＳＴＡには大きな負担となる。したがって、ＳＴＡが持続的にチャネルをセンシングするために受信待機状態を維持すると、無線ＬＡＮ処理率の側面で特別な利点もなく電力を非効率的に消耗することになる。このような問題点を解決するために、無線ＬＡＮシステムではＳＴＡの電力管理（ｐｏｗｅｒ  ｍａｎａｇｅｍｅｎｔ；ＰＭ）モードを支援する。
【０１２３】
ＳＴＡの電力管理モードはアクティブ（ａｃｔｉｖｅ）モード及び節電（ｐｏｗｅｒ  ｓａｖｅ；ＰＳ）モードに区別される。ＳＴＡは基本的にアクティブモードで動作する。アクティブモードで動作するＳＴＡは、アウェイク状態（ａｗａｋｅ  ｓｔａｔｅ）を維持する。アウェイク状態は、フレーム送受信やチャネルスキャニングなどの正常動作が可能な状態である。一方、ＰＳモードで動作するＳＴＡはスリープ状態（ｓｌｅｅｐ  ｓｔａｔｅ）（又は、ドーズ（ｄｏｓｅ）状態）とアウェイク状態（ａｗａｋｅ  ｓｔａｔｅ）を切り替えながら動作する。スリープ状態で動作するＳＴＡは、最小限の電力で動作し、フレーム送受信もチャネルスキャニングも行わない。
【０１２４】
ＳＴＡがスリープ状態でできるだけ長く動作するほど電力消耗が減るため、ＳＴＡの動作期間が増加する。しかし、スリープ状態ではフレーム送受信が不可能なため、無条件に長く動作するわけにはいかない。スリープ状態で動作するＳＴＡがＡＰに送信するフレームを有すると、アウェイク状態に切り替えてフレームを送信すればよい。一方、ＡＰがＳＴＡに送信するフレームがある場合、スリープ状態のＳＴＡはそれを受信できないことはもとより、受信するフレームが存在するということも把握できない。したがって、ＳＴＡは自身に送信されるフレームの存在有無を確認するために（また、存在するならそれを受信するために）特定周期に従ってアウェイク状態に切り替える動作が必要なことがある。
【０１２５】
図９は、電力管理動作を説明するための図である。
【０１２６】
図９を参照すると、ＡＰ  ２１０は、一定の周期でビーコンフレーム（ｂｅａｃｏｎ  ｆｒａｍｅ）をＢＳＳ内のＳＴＡに送信する（Ｓ２１１、Ｓ２１２、Ｓ２１３、Ｓ２１４、Ｓ２１５、Ｓ２１６）。ビーコンフレームには、ＴＩＭ（Ｔｒａｆｆｉｃ  Ｉｎｄｉｃａｔｉｏｎ  Ｍａｐ）情報要素（Ｉｎｆｏｒｍａｔｉｏｎ  Ｅｌｅｍｅｎｔ）が含まれる。ＴＩＭ情報要素は、ＡＰ  ２１０が自身と連携されているＳＴＡに対するバッファされたトラフィックが存在し、フレームを送信する旨を知らせる情報を含む。ＴＩＭ要素には、ユニキャスト（ｕｎｉｃａｓｔ）フレームを知らせるために用いられるＴＩＭと、マルチキャスト（ｍｕｌｔｉｃａｓｔ）又はブロードキャスト（ｂｒｏａｄｃａｓｔ）フレームを知らせるために用いられるＤＴＩＭ（ｄｅｌｉｖｅｒｙ  ｔｒａｆｆｉｃ  ｉｎｄｉｃａｔｉｏｎ  ｍａｐ）がある。
【０１２７】
ＡＰ  ２１０は、３回のビーコンフレームを送信する度に１回ずつＤＴＩＭを送信することができる。ＳＴＡ１  ２２０及びＳＴＡ２  ２３０はＰＳモードで動作するＳＴＡである。ＳＴＡ１  ２２０及びＳＴＡ２  ２３０は、所定の周期のウェイクアップインターバル（ｗａｋｅｕｐ  ｉｎｔｅｒｖａｌ）ごとにスリープ状態からアウェイク状態に切り替えて、ＡＰ  ２１０によって送信されたＴＩＭ要素を受信できるように設定されてもよい。それぞれのＳＴＡは、自身のローカルクロック（ｌｏｃａｌ  ｃｌｏｃｋ）に基づいてアウェイク状態に切り替える時点を計算することができ、図９の例示ではＳＴＡのクロックがＡＰのクロックと一致すると仮定する。
【０１２８】
例えば、所定のウェイクアップインターバルは、ＳＴＡ１  ２２０がビーコンインターバルごとにアウェイク状態に切り替わってＴＩＭ要素を受信できるように設定されてもよい。そのため、ＳＴＡ１  ２２０は、ＡＰ  ２１０が最初にビーコンフレームを送信する時（Ｓ２１１）にアウェイク状態に切り替わり得る（Ｓ２２１）。ＳＴＡ１  ２２０は、ビーコンフレームを受信してＴＩＭ要素を取得することができる。取得されたＴＩＭ要素が、ＳＴＡ１  ２２０に送信されるフレームがある旨を指示すると、ＳＴＡ１  ２２０は、ＡＰ  ２１０にフレーム送信を要請するＰＳ−Ｐｏｌｌ（Ｐｏｗｅｒ  Ｓａｖｅ−Ｐｏｌｌ）フレームをＡＰ  ２１０に送信することができる（Ｓ２２１ａ）。ＡＰ  ２１０は、ＰＳ−Ｐｏｌｌフレームに対応してフレームをＳＴＡ１  ２２０に送信することができる（Ｓ２３１）。フレーム受信を完了したＳＴＡ１  ２２０は再びスリープ状態に切り替わって動作する。
【０１２９】
ＡＰ  ２１０が二番目にビーコンフレームを送信するにあたり、他の装置が媒体にアクセスするなどして媒体が占有された（ｂｕｓｙ  ｍｅｄｉｕｍ）状態であるから、ＡＰ  ２１０は正確なビーコンインターバルに合わせてビーコンフレームを送信できず、遅延された時点に送信することがある（Ｓ２１２）。この場合、ＳＴＡ１  ２２０はビーコンインターバルに合わせて動作モードをアウェイク状態に切り替えるが、遅延送信されるビーコンフレームを受信できず、再びスリープ状態に切り替わる（Ｓ２２２）。
【０１３０】
ＡＰ  ２１０が三番目にビーコンフレームを送信する時、当該ビーコンフレームはＤＴＩＭと設定されたＴＩＭ要素を含むことができる。ただし、媒体が占有された（ｂｕｓｙ  ｍｅｄｉｕｍ）状態であるから、ＡＰ  ２１０はビーコンフレームを遅延して送信する（Ｓ２１３）。ＳＴＡ１  ２２０は、ビーコンインターバルに合わせてアウェイク状態に切り替わって動作し、ＡＰ  ２１０によって送信されるビーコンフレームからＤＴＩＭを取得することができる。ＳＴＡ１  ２２０が取得したＤＴＩＭは、ＳＴＡ１  ２２０に送信されるフレームはなく、他のＳＴＡのためのフレームが存在する旨を指示する場合を仮定する。この場合、ＳＴＡ１  ２２０は、自身が受信するフレームがないことを確認し、再びスリープ状態に切り替わって動作することができる。ＡＰ  ２１０はビーコンフレーム送信後にフレームを該当のＳＴＡに送信する（Ｓ２３２）。
【０１３１】
ＡＰ  ２１０は、四番目にビーコンフレームを送信する（Ｓ２１４）。ただし、ＳＴＡ１  ２２０は、その以前の２回にわたるＴＩＭ要素受信から、自身に対するバッファされたトラフィックが存在するという情報が取得できなかったため、ＴＩＭ要素受信のためのウェイクアップインターバルを調整してもよい。又は、ＡＰ  ２１０によって送信されるビーコンフレームにＳＴＡ１  ２２０のウェイクアップインターバル値を調整するためのシグナリング情報が含まれた場合、ＳＴＡ１  ２２０のウェイクアップインターバル値が調整されてもよい。本例示で、ＳＴＡ１  ２２０はビーコンインターバルごとにＴＩＭ要素受信のために運営状態を切り替えたが、３回のビーコンインターバルごとに１回起床するように運営状態を切り替えるように設定してもよい。したがって、ＳＴＡ１  ２２０は、ＡＰ  ２１０が四番目のビーコンフレームを送信し（Ｓ２１４）、五番目のビーコンフレームを送信する時点に（Ｓ２１５）スリープ状態を維持するため、ＴＩＭ要素を取得することができない。
【０１３２】
ＡＰ  ２１０が六番目にビーコンフレームを送信する時（Ｓ２１６）、ＳＴＡ１  ２２０はアウェイク状態に切り替わって動作し、ビーコンフレームに含まれたＴＩＭ要素を取得することができる（Ｓ２２４）。ＴＩＭ要素は、ブロードキャストフレームが存在する旨を指示するＤＴＩＭであるから、ＳＴＡ１  ２２０はＰＳ−ＰｏｌｌフレームをＡＰ  ２１０に送信することなく、ＡＰ  ２１０によって送信されるブロードキャストフレームを受信すればよい（Ｓ２３４）。一方、ＳＴＡ２  ２３０に設定されたウェイクアップインターバルはＳＴＡ１  ２２０に比べて長い周期に設定されてもよい。そのため、ＳＴＡ２  ２３０は、ＡＰ  ２１０が五番目にビーコンフレームを送信する時点（Ｓ２１５）にアウェイク状態に切り替わってＴＩＭ要素を受信することができる（Ｓ２４１）。ＳＴＡ２  ２３０は、ＴＩＭ要素から、自身に送信されるフレームが存在することがわかり、フレーム送信を要請するためにＡＰ  ２１０にＰＳ−Ｐｏｌｌフレームを送信することができる（Ｓ２４１ａ）。ＡＰ  ２１０はＰＳ−Ｐｏｌｌフレームに対応してＳＴＡ２  ２３０にフレームを送信することができる（Ｓ２３３）。
【０１３３】
図９のような節電モードの運営のためにＴＩＭ要素には、ＳＴＡに送信されるフレームが存在するか否かを指示するＴＩＭ、又はブロードキャスト／マルチキャストフレームが存在するか否かを指示するＤＴＩＭが含まれる。ＤＴＩＭはＴＩＭ要素のフィールド設定によって具現することができる。
【０１３４】
図１０乃至図１２は、ＴＩＭを受信したＳＴＡの動作を詳しく説明するための図である。
【０１３５】
図１０を参照すると、ＳＴＡは、ＡＰからＴＩＭを含むビーコンフレームを受信するためにスリープ状態からアウェイク状態に切り替わり、受信したＴＩＭ要素を解釈して、自身に送信されるバッファされたトラフィックがあることを確認できる。ＳＴＡは、ＰＳ−Ｐｏｌｌフレームの送信のための媒体アクセスのために他のＳＴＡと競合（ｃｏｎｔｅｎｄｉｎｇ）を行った後に、ＡＰにデータフレーム送信を要請するためにＰＳ−Ｐｏｌｌフレームを送信することができる。ＳＴＡによって送信されたＰＳ−Ｐｏｌｌフレームを受信したＡＰは、ＳＴＡにフレームを送信することができる。ＳＴＡはデータフレームを受信し、それに対する確認応答（ＡＣＫ）フレームをＡＰに送信することができる。以降、ＳＴＡは再びスリープ状態に切り替わればよい。
【０１３６】
図１０のように、ＡＰは、ＳＴＡからＰＳ−Ｐｏｌｌフレームを受信した後、所定の時間（例えば、ＳＩＦＳ（Ｓｈｏｒｔ  Ｉｎｔｅｒ−Ｆｒａｍｅ  Ｓｐａｃｅ））後にデータフレームを送信する即時応答（ｉｍｍｅｄｉａｔｅ  ｒｅｓｐｏｎｓｅ）方式によって動作することができる。一方、ＡＰがＰＳ−Ｐｏｌｌフレームを受信した後に、ＳＴＡに送信するデータフレームをＳＩＦＳ時間の間に用意できなかった場合は、遅れた応答（ｄｅｆｅｒｒｅｄ  ｒｅｓｐｏｎｓｅ）方式によって動作してもよく、それについて図１１を参照して説明する。
【０１３７】
図１１の例示で、ＳＴＡがスリープ状態からアウェイク状態に切り替わってＡＰからＴＩＭを受信し、競合を経てＰＳ−ＰｏｌｌフレームをＡＰに送信する動作は、図１０の例示と同一である。ＡＰがＰＳ−Ｐｏｌｌフレームを受信したが、ＳＩＦＳの間にデータフレームを用意できなかった場合、データフレームを送信する代わりにＡＣＫフレームをＳＴＡに送信してもよい。ＡＰは、ＡＣＫフレーム送信後にデータフレームが用意されると、競合を行った後、データフレームをＳＴＡに送信することができる。ＳＴＡはデータフレームを成功的に受信したことを示すＡＣＫフレームをＡＰに送信し、スリープ状態に切り替わればよい。
【０１３８】
図１２は、ＡＰがＤＴＩＭを送信する例示に関するものである。ＳＴＡはＡＰからＤＴＩＭ要素を含むビーコンフレームを受信するためにスリープ状態からアウェイク状態に切り替わってもよい。これらのＳＴＡは、受信したＤＴＩＭから、マルチキャスト／ブロードキャストフレームが送信されることがわかる。ＡＰは、ＤＴＩＭを含むビーコンフレームを送信後に、ＰＳ−Ｐｏｌｌフレームの送受信動作無しで直ちにデータ（すなわち、マルチキャスト／ブロードキャストフレーム）を送信することができる。これらのＳＴＡは、ＤＴＩＭを含むビーコンフレームを受信してから引き続きアウェイク状態を維持しながらデータを受信し、データ受信が完了した後再びスリープ状態に切り替わればよい。
【０１３９】
ＴＩＭ構造
【０１４０】
図９乃至図１２を参照して上述したＴＩＭ（又は、ＤＴＩＭ）プロトコルに基づく節電モード運営方法において、ＳＴＡは、ＴＩＭ要素に含まれたＳＴＡ識別情報から、自身のために送信されるデータフレームが存在するか否かを確認することができる。ＳＴＡ識別情報は、ＳＴＡとＡＰとの連携（ａｓｓｏｃｉａｔｉｏｎ）時にＳＴＡに割り当てられた識別子であるＡＩＤ（Ａｓｓｏｃｉａｔｉｏｎ  Ｉｄｅｎｔｉｆｉｅｒ）に関する情報であってよい。
【０１４１】
ＡＩＤは一つのＢＳＳ内ではそれぞれのＳＴＡに対する固有の（ｕｎｉｑｕｅ）識別子として使われる。一例として、現在無線ＬＡＮシステムにおいてＡＩＤとしては１から２００７までのいずれか一つの値を割り当てることができる。現在定義されている無線ＬＡＮシステムでは、ＡＰ及び／又はＳＴＡが送信するフレームにはＡＩＤのために１４ビットを割り当てることができ、ＡＩＤ値は１６３８３まで割り当てることができるが、２００８〜１６３８３は予備（ｒｅｓｅｒｖｅｄ）値として設定されている。
【０１４２】
既存の定義によるＴＩＭ要素は、一つのＡＰに多数（例えば、２００７個を超える）のＳＴＡが連携され得るＭ２Ｍアプリケーションの適用には適していない。既存のＴＩＭ構造をそのまま拡張するとＴＩＭビットマップのサイズが過大になるため、既存のフレームフォーマットでは支援することができず、また、低い伝送レートのアプリケーションを考慮するＭ２Ｍ通信に適していない。また、Ｍ２Ｍ通信では、一つのビーコン周期の間に受信データフレームが存在するＳＴＡの個数は大変少ないと予想される。したがって、このようなＭ２Ｍ通信の適用例を考慮すれば、ＴＩＭビットマップのサイズは大きくなるが、大部分のビットが０値を有する場合が多く発生すると予想されるため、ビットマップを效率的に圧縮する技術が要求される。
【０１４３】
既存のビットマップ圧縮技術として、ビットマップの先頭部分に連続する０を省略し、オフセット（ｏｆｆｓｅｔ）（又は、開始点）値で定義する方案がある。しかし、バッファされたフレームが存在するＳＴＡの個数は少ないが、それぞれのＳＴＡのＡＩＤ値の差が大きい場合には圧縮効率が高くない。例えば、ＡＩＤが１０と２０００の値であるただ２つのＳＴＡに送信するフレームのみがバッファされている場合、圧縮されたビットマップの長さは１９９０であるが、両端を除いてはいずれも０の値を有することになる。一つのＡＰに連携され得るＳＴＡの個数が少ない場合にはビットマップ圧縮の非効率性があまり問題にならないが、ＳＴＡの個数が増加する場合は、このような非効率性が全体システム性能を阻害する要素になることもある。
【０１４４】
これを解決するための方案として、ＡＩＤを複数のグループに分けてより効果的なデータ送信を行うようにすることができる。各グループには、指定されたグループＩＤ（ＧＩＤ）が割り当てられる。このようなグループベースで割り当てられるＡＩＤについて図１３を参照して説明する。
【０１４５】
図１３（ａ）は、グループベースで割り当てられたＡＩＤの一例を示す図である。図１３（ａ）の例示では、ＡＩＤビットマップの先頭部におけるいくつかのビットを、ＧＩＤを示すために用いることができる。例えば、ＡＩＤビットマップにおける先頭の２ビットを用いて４個のＧＩＤを示すことができる。ＡＩＤビットマップの全体長がＮビットである場合、先頭の２ビット（Ｂ１及びＢ２）の値は当該ＡＩＤのＧＩＤを示す。
【０１４６】
図１３（ｂ）は、グループベースで割り当てられたＡＩＤの他の例を示す図である。図１３（ｂ）の例示では、ＡＩＤの位置によってＧＩＤを割り当てることができる。このとき、同一のＧＩＤを使用するＡＩＤはオフセット（ｏｆｆｓｅｔ）及び長さ（ｌｅｎｇｔｈ）の値で表現することができる。例えば、ＧＩＤ  １がオフセットＡ及び長さＢで表現されると、ビットマップ上でＡ乃至Ａ＋Ｂ−１のＡＩＤがＧＩＤ  １を有するということを意味する。例えば、図１３（ｂ）の例示で、全体１乃至Ｎ４のＡＩＤが４個のグループに分割されると仮定する。この場合、ＧＩＤ  １に属するＡＩＤは１乃至Ｎ１であり、このグループに属するＡＩＤはオフセット１及び長さＮ１で表現することができる。次に、ＧＩＤ  ２に属するＡＩＤをオフセットＮ１＋１及び長さＮ２−Ｎ１＋１で表現することができ、ＧＩＤ  ３に属するＡＩＤをオフセットＮ２＋１及び長さＮ３−Ｎ２＋１で表現することができ、ＧＩＤ  ４に属するＡＩＤをオフセットＮ３＋１及び長さＮ４−Ｎ３＋１で表現することができる。
【０１４７】
このようなグループベースで割り当てられるＡＩＤが導入されると、ＧＩＤによって異なる時間区間にチャネルアクセスを許容できるようにすることによって、多数のＳＴＡに対するＴＩＭ要素不足の問題を解決すると同時に、効率的なデータの送受信を行うことができる。例えば、特定時間区間では特定グループに該当するＳＴＡにのみチャネルアクセスが許容され、残り他のＳＴＡにはチャネルアクセスが制限（ｒｅｓｔｒｉｃｔ）されてもよい。このように特定ＳＴＡにのみアクセスが許容される所定の時間区間を、制限されたアクセスウィンドウ（Ｒｅｓｔｒｉｃｔｅｄ  Ａｃｃｅｓｓ  Ｗｉｎｄｏｗ；ＲＡＷ）と呼ぶこともできる。
【０１４８】
ＧＩＤによるチャネルアクセスについて図１３（ｃ）を参照して説明する。図１３（ｃ）では、ＡＩＤが３個のグループに分けられている場合、ビーコンインターバルによるチャネルアクセスメカニズムを例示的に示す。一番目のビーコンインターバル（又は、一番目のＲＡＷ）は、ＧＩＤ  １に属するＡＩＤに該当するＳＴＡのチャネルアクセスが許容される区間で、他のＧＩＤに属するＳＴＡのチャネルアクセスは許容されない。これを具現するために、一番目のビーコンにはＧＩＤ  １に該当するＡＩＤのみのためのＴＩＭ要素が含まれる。二番目のビーコンフレームにはＧＩＤ  ２を有するＡＩＤのみのためのＴＩＭ要素が含まれ、これによって二番目のビーコンインターバル（又は、二番目のＲＡＷ）の間には、ＧＩＤ  ２に属するＡＩＤに該当するＳＴＡのチャネルアクセスのみが許容される。三番目のビーコンフレームには、ＧＩＤ  ３を有するＡＩＤのみのためのＴＩＭ要素が含まれ、これによって三番目のビーコンインターバル（又は、三番目のＲＡＷ）の間には、ＧＩＤ  ３に属するＡＩＤに該当するＳＴＡのチャネルアクセスのみが許容される。四番目のビーコンフレームには再びＧＩＤ  １を有するＡＩＤのみのためのＴＩＭ要素が含まれ、これによって四番目のビーコンインターバル（又は、四番目のＲＡＷ）の間には、ＧＩＤ  １に属するＡＩＤに該当するＳＴＡのチャネルアクセスのみが許容される。続いて、五番目以降のビーコンインターバル（又は、五番目以降のＲＡＷ）のそれぞれにおいても、当該ビーコンフレームに含まれたＴＩＭで指示される特定グループに属したＳＴＡのチャネルアクセスのみが許容されてもよい。
【０１４９】
図１３（ｃ）では、ビーコンインターバルによって許容されるＧＩＤの順序が循環的又は周期的である例示を示しているが、これに制限されることはない。すなわち、ＴＩＭ要素に特定ＧＩＤに属するＡＩＤのみを含めることによって、特定時間区間（例えば、特定ＲＡＷ）の間に、これら特定ＡＩＤに該当するＳＴＡのみのチャネルアクセスを許容し、残りのＳＴＡのチャネルアクセスは許容しない方式で動作してもよい。
【０１５０】
前述したようなグループベースＡＩＤ割当方式は、ＴＩＭの階層的（ｈｉｅｒａｒｃｈｉｃａｌ）構造と呼ぶこともできる。すなわち、全体ＡＩＤ空間を複数個のブロックに分割し、０以外の値を持つ特定ブロックに該当するＳＴＡ（すなわち、特定グループのＳＴＡ）のチャネルアクセスのみが許容されるようにすることができる。これによって、大きいサイズのＴＩＭを小さいブロック／グループに分割して、ＳＴＡがＴＩＭ情報を維持しやすくし、ＳＴＡのクラス、サービス品質（ＱｏＳ）、又は用途によってブロック／グループが管理しやすくなる。図１３の例示では２−レベルの階層を示しているが、２つ以上のレベルの形態で階層的構造のＴＩＭが構成されてもよい。例えば、全体ＡＩＤ空間を複数個のページ（ｐａｇｅ）グループに分割し、それぞれのページグループを複数個のブロックに区別し、それぞれのブロックを複数個のサブ−ブロックに分割することができる。このような場合、図１３（ａ）の例示の拡張として、ＡＩＤビットマップにおいて先頭のＮ１個のビットはページＩＤ（すなわち、ＰＩＤ）を示し、その次のＮ２個のビットはブロックＩＤを示し、その次のＮ３個のビットはサブ−ブロックＩＤを示し、残りのビットがサブ−ブロック内のＳＴＡビット位置を示す方式で構成されてもよい。
【０１５１】
以下に説明する本発明の例示において、ＳＴＡ（又は、それぞれのＳＴＡに割り当てられたＡＩＤ）を所定の階層的なグループ単位に分割して管理する様々な方式が適用されてもよく、グループベースＡＩＤ割当方式が上記の例示に制限されるものではない。
【０１５２】
ＰＰＤＵフレームフォーマット
【０１５３】
ＰＰＤＵ（Ｐｈｙｓｉｃａｌ  Ｌａｙｅｒ  Ｃｏｎｖｅｒｇｅｎｃｅ  Ｐｒｏｔｏｃｏｌ（ＰＬＣＰ）  Ｐａｃｋｅｔ  Ｄａｔａ  Ｕｎｉｔ）フレームフォーマットは、ＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧＮＡＬ）フィールド、及びデータ（Ｄａｔａ）フィールドを含むことができる。最も基本的な（例えば、ｎｏｎ−ＨＴ（Ｈｉｇｈ  Ｔｈｒｏｕｇｈｐｕｔ））ＰＰＤＵフレームフォーマットは、Ｌ−ＳＴＦ（Ｌｅｇａｃｙ−ＳＴＦ）、Ｌ−ＬＴＦ（Ｌｅｇａｃｙ−ＬＴＦ）、ＳＩＧフィールド及びデータフィールドのみで構成することができる。また、ＰＰＤＵフレームフォーマットの種類（例えば、ＨＴ−ｍｉｘｅｄフォーマットＰＰＤＵ、ＨＴ−ｇｒｅｅｎｆｉｅｌｄフォーマットＰＰＤＵ、ＶＨＴ（Ｖｅｒｙ  Ｈｉｇｈ  Ｔｈｒｏｕｇｈｐｕｔ）ＰＰＤＵなど）によって、ＳＩＧフィールドとデータフィールドとの間に追加の（又は、他の種類の）ＳＴＦ、ＬＴＦ、ＳＩＧフィールドが含まれてもよい。
【０１５４】
ＳＴＦは、信号検出、ＡＧＣ（Ａｕｔｏｍａｔｉｃ  Ｇａｉｎ  Ｃｏｎｔｒｏｌ）、ダイバーシティ選択、精密な時間同期などのための信号であり、ＬＴＦは、チャネル推定、周波数誤差推定などのための信号である。ＳＴＦとＬＴＦをあわせてＰＣＬＰプリアンブル（ｐｒｅａｍｂｌｅ）と呼ぶことができ、ＰＬＣＰプリアンブルはＯＦＤＭ物理層の同期化及びチャネル推定のための信号であるといえる。
【０１５５】
ＳＩＧフィールドはＲＡＴＥフィールド及びＬＥＮＧＴＨフィールドなどを含むことができる。ＲＡＴＥフィールドはデータの変調及びコーディングレートに関する情報を含むことができる。ＬＥＮＧＴＨフィールドは、データの長さに関する情報を含むことができる。ＳＩＧフィールドはさらに、パリティ（ｐａｒｉｔｙ）ビット、ＳＩＧ  ＴＡＩＬビットなどを含むことができる。
【０１５６】
データフィールドは、ＳＥＲＶＩＣＥフィールド、ＰＳＤＵ（ＰＬＣＰ  Ｓｅｒｖｉｃｅ  Ｄａｔａ  Ｕｎｉｔ）、ＰＰＤＵ  ＴＡＩＬビットを含むことができて、必要によって埋め草ビット（ｐａｄｄｉｎｇ  ｂｉｔ）も含むことができる。ＳＥＲＶＩＣＥフィールドの一部のビットは、受信端でのデスクランブラの同期化のために用いることができる。ＰＳＤＵは、ＭＡＣ層で定義されるＭＡＣ  ＰＤＵに対応し、上位層で生成／利用されるデータを含むことができる。ＰＰＤＵ  ＴＡＩＬビットは、エンコーダを０状態にリターンするために用いることができる。埋め草ビットは、データフィールドの長さを所定の単位に合わせるために用いることができる。
【０１５７】
ＭＡＣ  ＰＤＵは、様々なＭＡＣフレームフォーマットによって定義され、基本的なＭＡＣフレームは、ＭＡＣヘッダー、フレームボディー、及びＦＣＳ（Ｆｒａｍｅ  Ｃｈｅｃｋ  Ｓｅｑｕｅｎｃｅ）で構成される。ＭＡＣフレームは、ＭＡＣ  ＰＤＵで構成されて、ＰＰＤＵフレームフォーマットのデータ部分のＰＳＤＵを通じて送信／受信され得る。
【０１５８】
一方、ヌル−データパケット（ＮＤＰ）フレームフォーマットは、データパケットを含まない形態のフレームフォーマットを意味する。すなわち、ＮＤＰフレームは、一般のＰＰＤＵフォーマットにおいてＰＬＣＰヘッダー部分（すなわち、ＳＴＦ、ＬＴＦ及びＳＩＧフィールド）のみを含み、残りの部分（すなわち、データフィールド）は含まないフレームフォーマットを意味する。ＮＤＰフレームを短い（ｓｈｏｒｔ）フレームフォーマットと呼ぶこともできる。  
【０１５９】
単一ユーザフレーム／多重ユーザフレーム構造
【０１６０】
本発明では、１ＧＨｚ以下（例えば、９０２乃至９２８ＭＨｚ）の周波数帯域で動作する無線ＬＡＮシステムにおいて単一ユーザ（Ｓｉｎｇｌｅ  Ｕｓｅｒ；ＳＵ）フレームと多重ユーザ（Ｍｕｌｔｉｐｌｅ  Ｕｓｅｒ；ＭＵ）フレームにおけるＳＩＧフィールド構成方案について提案する。ＳＵフレームはＳＵ−ＭＩＭＯで用いられるフレームであり、ＭＵフレームはＭＵ−ＭＩＭＯで用いられるフレームであってよい。以下の説明でいうフレームは、データフレーム又はＮＤＰフレームであってもよい。
【０１６１】
図１４は、ＳＵ／ＭＵフレームフォーマットを例示的に示す図である。
【０１６２】
図１４の例示で、ＳＴＦ、ＬＴＦ１、ＳＩＧ−Ａ（ＳＩＧＮＡＬ  Ａ）フィールドは、全方向（ｏｍｎｉ  ｄｉｒｅｃｔｉｏｎ）に全てのＳＴＡに送信されるという意味からオムニ（Ｏｍｎｉ）部分に該当する。この部分はビームフォーミング（ｂｅａｍｆｏｒｍｉｎｇ）やプリコーディング（ｐｒｅｃｏｄｉｎｇ）を適用しないで送信することができる。
【０１６３】
一方、ＳＩＧ−Ａフィールドに続くＭＵ−ＳＴＦ、ＭＵ−ＬＴＦ１、…、ＭＵ−ＬＴＦ＿ＮＬＴＦ、ＳＩＧ−Ｂ（ＳＩＧＮＡＬ  Ｂ）フィールドは、ユーザ−特定に送信するもので、ビームフォーミング又はプリコーディングを適用して送信することができる。図１４のフレームフォーマットの例示で、ＭＵ部分は、ＭＵ−ＳＴＦ、ＭＵ−ＬＴＦ、ＳＩＧ−Ｂ及びデータフィールドを含むことができる。
【０１６４】
オムニ部分においてＳＴＦ、ＬＴＦ１、ＳＩＧ−Ａフィールドは、それぞれの副搬送波（ｓｕｂｃａｒｒｉｅｒ）に対して単一ストリームとして送信することができる。これを式で表現すると、下記の通りである。
【０１６５】
【数１】
0005866479.tif 000004
【０１６６】
上記の式１で、ｋは副搬送波（又は、トーン）インデックスを表し、ｘｋは副搬送波ｋで送信される信号を意味し、ＮＴＸは送信アンテナの個数を意味する。Ｑｋは、副搬送波ｋで送信される信号をエンコード（例えば、空間マップ）する列ベクトルを意味し、ｄｋは、エンコーダに入力されるデータを意味する。上記の式１で、Ｑｋには時間ドメインでの循環シフト遅延（ＣＳＤ）を適用することができる。時間ドメインにおけるＣＳＤは、周波数ドメインにおける位相回転（ｐｈａｓｅ  ｒｏｔａｔｉｏｎ）又は位相シフト（ｐｈａｓｅ  ｓｈｉｆｔ）の意味を有する。そのため、Ｑｋは、時間ドメインＣＳＤによって誘発されるトーンｋにおける位相シフト値を含むことができる。
【０１６７】
図１４の例示のようなフレームフォーマットが用いられる場合、ＳＴＦ、ＬＴＦ１、ＳＩＧ−Ａフィールドを全てのＳＴＡで受信することができ、各ＳＴＡはＳＴＦ、ＬＴＦ１に基づくチャネル推定を介してＳＩＧ−Ａフィールドをデコードすることができる。
【０１６８】
ＳＩＧ−Ａフィールドは、長さ／デューレーション（Ｌｅｎｇｔｈ／Ｄｕｒａｔｉｏｎ）、チャネル帯域幅（Ｃｈａｎｎｅｌ  Ｂａｎｄｗｉｄｔｈ）、空間ストリームの個数（Ｎｕｍｂｅｒ  ｏｆ  Ｓｐａｔｉａｌ  Ｓｔｒｅａｍｓ）などに関する情報を含むことができる。ＳＩＧ−Ａフィールドは２個のＯＦＤＭシンボル長で構成される。一つのＯＦＤＭシンボルは４８個のデータトーン（ｄａｔａ  ｔｏｎｅ）に対してＢＰＳＫ（Ｂｉｎａｒｙ  Ｐｈａｓｅ  Ｓｈｉｆｔ  Ｋｅｙｉｎｇ）変調を用いるため、一つのＯＦＤＭシンボル上で２４ビットの情報を表現することができる。したがって、ＳＩＧ−Ａフィールドは４８ビットの情報を含むことができる。
【０１６９】
下記の表３は、ＳＵの場合とＭＵの場合のそれぞれに対するＳＩＧ−Ａフィールドのビット割当の例示を示す。
【０１７０】
【表３】
0005866479.tif 000005
【０１７１】
上記表３で、ＳＵ／ＭＵ指示（ＳＵ／ＭＵ  Ｉｎｄｉｃａｔｉｏｎ）フィールドは、ＳＵフレームフォーマットとＭＵフレームフォーマットとを区別するために用いられる。
【０１７２】
長さ／デューレーション（Ｌｅｎｇｔｈ／Ｄｕｒａｔｉｏｎ）フィールドは、フレームのＯＦＤＭシンボル（すなわち、デューレーション）又はバイト個数（すなわち、長さ）を示す。ＳＵフレームで組合せ（ａｇｇｒｅｇａｔｉｏｎ）フィールドの値が１の場合に、長さ／デューレーションフィールドはデューレーションフィールドとして解釈される。一方、組合せフィールドの値が０の場合には、長さ／デューレーションフィールドは長さフィールドとして解釈される。ＭＵフレームでは組合せフィールドが定義されず、常に組合せが適用されるように構成されるため、長さ／デューレーションフィールドはデューレーションフィールドとして解釈される。
【０１７３】
ＭＣＳフィールドは、ＰＳＤＵ送信に用いられる変調及びコーディング技法を示す。ＳＵフレームの場合にのみ、ＭＣＳフィールドがＳＩＧ−Ａフィールドを介して送信される。他のＳＴＡ（すなわち、２つのＳＴＡ間の送受信に直接関連しないサードパーティー（３ｒｄ  ｐａｒｔｙ）ＳＴＡと呼ぶことができる。）が上記ＳＵフレームを受信する場合、長さ／デューレーションフィールドの長さ値とＭＣＳフィールド値に基づいて、現在受信されるＳＵフレーム（すなわち、組合せフィールドが０のＳＵビームフォーミングされたフレーム）のデューレーションを計算することができる。一方、ＭＵフレームでは、ＭＣＳフィールドはＳＩＧ−Ａフィールドに含まれず、ユーザ−特定情報を運ぶＳＩＧ−Ｂフィールドに含まれ、これによってそれぞれのユーザ別に独立したＭＣＳの適用が可能である。
【０１７４】
ＢＷフィールドは、送信されるＳＵフレーム又はＭＵフレームのチャネル帯域幅を示す。例えば、ＢＷフィールドは２ＭＨｚ、４ＭＨｚ、８ＭＨｚ、１６ＭＨ又は８＋８ＭＨｚのいずれか一つを示す値に設定することができる。
【０１７５】
組合せ（Ａｇｇｒｅｇａｔｉｏｎ）フィールドは、ＰＳＤＵが組合せＭＰＤＵ（すなわち、Ａ−ＭＰＤＵ）の形態で組み合わせられるか否かを示す。組合せフィールドが１の場合に、ＰＳＤＵがＡ−ＭＰＤＵの形態で組み合わせられて送信されることを意味する。組合せフィールドが０の場合、ＰＳＤＵは組み合わせられないで送信されることを意味する。ＭＵフレームではＰＳＤＵが常にＡ−ＭＰＤＵの形態で送信されるため、組合せフィールドはシグナリングされる必要がなく、ＳＩＧ−Ａフィールドに含まれない。
【０１７６】
空間時間ブロックコーディング（ＳＴＢＣ）フィールドは、ＳＵフレーム又はＭＵフレームにＳＴＢＣが適用されるか否かを示す。
【０１７７】
コーディング（ｃｏｄｉｎｇ）フィールドは、ＳＵフレーム又はＭＵフレームに用いられたコーディング技法を示す。ＳＵフレームの場合にはＢＣＣ（Ｂｉｎａｒｙ  Ｃｏｎｖｏｌｕｔｉｏｎａｌ  Ｃｏｄｅ）、ＬＤＰＣ（Ｌｏｗ  Ｄｅｎｓｉｔｙ  Ｐａｒｉｔｙ  Ｃｈｅｃｋ）技法などを用いることができる。ＭＵフレームの場合には、それぞれのユーザ別に独立したコーディング技法を適用することができるため、これを支援するために２ビット以上のビットサイズと上記コーディングフィールドが定義されればよい。
【０１７８】
短いガードインターバル（ＳＧＩ）フィールドは、ＳＵフレーム又はＭＵフレームのＰＳＤＵ送信に短いＧＩが用いられるか否かを示す。ＭＵフレームの場合には、ＳＧＩが用いられると、ＭＵ−ＭＩＭＯグループに属した全てのユーザに対して共通にＳＧＩが適用されることを示すことができる。
【０１７９】
グループ識別子（ＧＩＤ）フィールドは、ＭＵフレームにおいて多重−ユーザグループ情報を示す。ＳＵフレームの場合にはユーザグループが定義される必要がないため、ＧＩＤフィールドはＳＩＧ−Ａフィールドに含まれない。
【０１８０】
空間−時間ストリームの個数（Ｎｓｔｓ）フィールドは、ＳＵフレーム又はＭＵフレームにおいて空間ストリームの個数を意味する。ＭＵフレームの場合、該当する多重−ユーザグループに属したＳＴＡのそれぞれに対する空間ストリームの個数を示し、そのために８ビットが必要である。具体的に、一つのＭＵグループが最大４名のユーザを含むことができ、それぞれのユーザに対して最大４個の空間ストリームを送信し得るため、それを正しく支援するために８ビットが必要である。
【０１８１】
部分ＡＩＤ（ＰＡＩＤ）フィールドは、ＳＵフレームにおいて受信ＳＴＡを識別するためのＳＴＡのＩＤを示す。上りリンクフレームにおいてＰＡＩＤの値はＢＳＳＩＤ（Ｂａｓｉｃ  Ｓｅｒｖｉｃｅ  Ｓｅｔ  ＩＤ）の一部分で構成する。下りリンクフレームにおいてＰＡＩＤ値は、ＳＴＡのＡＩＤをハッシュ（ｈａｓｈｉｎｇ）した結果で構成することができる。例えば、ＢＳＳＩＤは４８ビット長、ＡＩＤは１６ビット長、ＰＡＩＤは９ビット長とすることができる。
【０１８２】
更に、本文書で後述する「ＰＡＩＤの新しい定義及び利用方案」によれば、ＵＬフレームにおけるＰＡＩＤは、ＢＳＳＩＤの一部分をハッシュした結果値に設定することができ、ＤＬフレームにおけるＰＡＩＤはＡＩＤの一部分とＢＳＳＩＤの一部分をハッシュした結果値に設定することができる。
【０１８３】
上記の表３の受信確認指示（ＡＣＫ  ｉｎｄｉｃａｔｉｏｎ）フィールドは、ＳＵフレーム又はＭＵフレームの次に送信されるＡＣＫの類型を示す。例えば、ＡＣＫ指示フィールドの値が００であれば、一般ＡＣＫ（Ｎｏｒｍａｌ  ＡＣＫ）を示し、０１であれば、ブロックＡＣＫ（Ｂｌｏｃｋ  ＡＣＫ）を示し、１０であれば、ＡＣＫ無し（Ｎｏ  ＡＣＫ）を示すことができる。ただし、これら３つの類型に区別することに制限されず、応答フレーム（ｒｅｓｐｏｎｓｅ  ｆｒａｍｅ）の属性によって３つ以上の類型に区別してもよい。
【０１８４】
また、上記の表３には含まれていないが、ＳＩＧフィールドに、当該フレームが下りリンクフレーム（ＤＬ  ｆｒａｍｅ）であるか上りリンクフレーム（ＵＬ  ｆｒａｍｅ）であるかを明示的に示すＤＬ／ＵＬ指示子フィールド（例えば、１ビットサイズ）が含まれてもよい。ＤＬ／ＵＬ指示子フィールドはＳＵフレームでのみ定義され、ＭＵフレームでは、ＤＬ／ＵＬ指示子フィールドを定義せず、常にＤＬフレームでのみ用いられるものとあらかじめ定めておいてもよい。又は、ＳＵフレームとＭＵフレームにかかわらず、ＤＬ／ＵＬ指示子フィールドが含まれてもよい。
【０１８５】
一方、図１４の例示のようなＭＵフレームにおいてＳＩＧ−Ｂフィールドはユーザ−特定（Ｕｓｅｒ−ｓｐｅｃｉｆｉｃ）情報を含むことができる。下記の表４には、ＭＵフレームにおいてＳＩＧ−Ｂフィールドを構成するフィールドを例示的に示す。また、下記の表４では、帯域幅（ＢＷ）２、４、８又は１６ＭＨｚ別にＰＰＤＵに対して適用される様々なパラメータを例示する。
【０１８６】
【表４】
0005866479.tif 000006
【０１８７】
上記の表４で、ＭＣＳフィールドは、それぞれのユーザ別にＭＵフレームの形態で送信されるＰＰＤＵのＭＣＳ値を示す。
【０１８８】
ＴＡＩＬビットは、エンコーダを０状態にリターンするために用いることができる。
【０１８９】
ＣＲＣ（Ｃｙｃｌｉｃ  Ｒｅｄｕｎｄａｎｃｙ  Ｃｈｅｃｋ）フィールドは、ＭＵフレームを受信するＳＴＡでのエラー検出のために用いることができる。
【０１９０】
ＳＩＧフィールドビット割当の他の実施例
【０１９１】
以下、ＳＵ／ＭＵフレームで適用されるＳＩＧフィールドに関する本発明の他の実施例について説明する。
【０１９２】
表５には、ＳＩＧ−Ａフィールドに関する本発明の他の例示を示す。
【０１９３】
【表５】
0005866479.tif 000007
【０１９４】
上記の表３のＳＩＧ−Ａフィールドに比べて表５の例示ではＳＵ／ＭＵ指示ビットが含まれていない。その代わり、表５の例示では、ＳＵフレームとＭＵフレームとを区別するために、ＧＩＤフィールドを用いることができる。
【０１９５】
ＧＩＤフィールドは、ＳＵフレームとＭＵフレームに共通して含まれる。ＧＩＤ値が０であれば、当該フレームが上りリンクで（すなわち、ＳＴＡからＡＰに）送信されるＳＵフレームであることを意味できる。ＧＩＤ値が６３であれば、当該フレームが下りリンクで（すなわち、ＡＰからＳＴＡに）送信されるＳＵフレームであることを意味できる。ＧＩＤ値が１乃至６２であれば、当該フレームがＭＵフレームであることを意味できる。
【０１９６】
また、表５のＳＩＧ−Ａビット割当の例示では表３のＬｅｎｇｔｈ／ＤｕｒａｔｉｏｎフィールドがＤｕｒａｔｉｏｎフィールドに限定される。上記の表３の例示では、組合せ（Ａｇｇｒｅｇａｔｉｏｎ）フィールドの値が０の場合、Ｌｅｎｇｔｈ／ＤｕｒａｔｉｏｎフィールドはＬｅｎｇｔｈの値を有する。しかし、表５の例示ではＳＩＧ−Ａを、Ｌｅｎｇｔｈ／Ｄｕｒａｔｉｏｎフィールドが常にＤｕｒａｔｉｏｎ値を有するように定義することができる。一方、組合せフィールドの値が０である場合のために、Ｌｅｎｇｔｈ値はＳＩＧ−ＡではなくＳＩＧ−Ｂに含めることができる。
【０１９７】
既存の方式では、ＳＵフレームの場合、ＳＩＧ−Ａフィールドで組合せフィールドの値が０であるとＬｅｎｇｔｈ／ＤｕｒａｔｉｏｎフィールドはＬｅｎｇｔｈフィールドとして用いられるため、サードパーティーＳＴＡが当該フレームのＤｕｒａｔｉｏｎ情報を知るためには、データ部分をデコードする必要がある（具体的に、データ部分のＭＡＣヘッダーにｄｕｒａｔｉｏｎ情報が含まれる）。しかし、前述した表５の例示のようにＤｕｒａｔｉｏｎフィールドが常にフレームのＳＩＧ−Ａに含まれるように定義すると、サードパーティーＳＴＡが当該フレームのＰＰＤＵの送信時間を計算するためにそのフレームのデータ部分をデコードする必要がない。フレームのデータ部分をデコードする必要がないため、当該フレームのＭＣＳを知る必要もない。したがって、本発明では、ＭＣＳ値も同様、オムニ部分に該当するＳＩＧ−Ａではなく、ユーザ特定情報を含むＳＩＧ−Ｂに含まれるように定義してもよい。そのため、上記の表５の例示では表３の例示に比べてＭＣＳフィールドも含まないように定義される。
【０１９８】
次に、ＭＵフレームにおいてＳＩＧ−Ｂはユーザ特定情報を含み、上記の表４の例示と同一に定義することができる。
【０１９９】
ただし、上記の表４の例示とは違い、ＳＵフレームにおいてＳＩＧ−ＢフィールドにはＬｅｎｇｔｈフィールド及びＭＣＳフィールドが含まれる。下記の表６には、本発明の他の例示に係るＳＵフレームにおけるＳＩＧ−Ｂのビット割当を示す。
【０２００】
【表６】
0005866479.tif 000008
【０２０１】
表６で、ＭＣＳフィールドは、ＰＳＤＵ送信に用いられる変調及びコーディング技法を示す。
【０２０２】
表６のＬｅｎｇｔｈフィールドは、ＰＳＤＵのバイトの個数を示し、組合せレベル（すなわち、ＳＩＧ−Ａの組合せフィールドの値）が０の場合に用いることができる。しかし、これに制限されず、組合せフィールドの値が１の場合にもＬｅｎｇｔｈフィールドがＳＩＧ−Ｂに含まれてもよい。
【０２０３】
表６のＳＩＧ−Ｂビット割当においてＣＲＣフィールドは、ＳＩＧ−Ａ（例えば、表５）と同様に、４ビットサイズと定義することを提案する。上記の表４の例示ではＣＲＣフィールドが８ビットサイズと定義されているが、上記の表６の例示ではＳＩＧ−Ｂの留保（ｒｅｓｅｒｖｅｄ）ビットを確保するために４ビットサイズと定義することができる。
【０２０４】
ＰＡＩＤの新しい定義及び利用方案
【０２０５】
ＰＡＩＤはＳＴＡの非−固有（ｎｏｎ−ｕｎｉｑｕｅ）識別子である。上記の表３又は表５で説明した通り、ＰＡＩＤはＳＵフレームに含めることができ、具体的には、本発明を適用し得るｓｕｂ−１ＧＨｚ動作周波数で定義されるＳＵフレームに含めることができる。ＰＡＩＤは９ビットサイズに制限できる。
【０２０６】
本発明では上記のＰＡＩＤフィールドを用いて下りリンクフレーム（ＤＬ  ｆｒａｍｅ）と上りリンクフレーム（ＵＬ  フレーム）とを区別する方案について提案する。これは、ＳＩＧフィールドにＤＬ／ＵＬ指示子フィールドが含まれない場合に、より有用に適用できるが、ＳＩＧフィールドにＤＬ／ＵＬ指示子フィールドが含まれるとしても、ＰＡＩＤを用いてＤＬ／ＵＬフレームを区別する方案を定義することによって依然として有用に用いることができる。すなわち、以下に説明する本発明のＰＡＩＤ定義及び利用方案は、ＤＬ／ＵＬ指示子の存在有無にかかわらずに適用することができる。
【０２０７】
前述したように、ＧＩＤ値が０及び６３の場合は、それぞれ、ＵＬ  ＳＵフレーム（すなわち、意図された受信側がＡＰであるＳＵフレーム）及びＤＬ  ＳＵフレーム（すなわち、意図された受信側がＳＴＡであるＳＵフレーム）と定義することができる。一方、ＧＩＤ値が１乃至６２の場合は、ＭＵフレームを意味すると定義することができる。しかし、ＧＩＤフィールドもなく、ＤＬ／ＵＬ指示子フィールドもない場合は、既存の方式によればＳＵフレームに対してＤＬ／ＵＬを区別できなくなる。
【０２０８】
これを解決するために、本発明ではＰＡＩＤフィールドの値を用いて、当該フレームがＤＬフレームであるか又はＵＬフレームであるかを区別できる方案を提案する。本方案の一例として、ＰＡＩＤフィールドの値を下記の表７のように定義することができる。
【０２０９】
【表７】
0005866479.tif 000009
【０２１０】
上記の表７の例示では、それぞれのフレーム類型（ｔｙｐｅ）に対するＰＡＩＤ値を求める方法を定義する。
【０２１１】
表７を参照すると、ＳＴＡがＡＰにＵＬフレームを送信する場合のＰＡＩＤの値を次のように計算することができる。
【０２１２】
（１）ＡＰのＢＳＳＩＤの４０番目のビット位置から４８番目のビット位置までの９個のビットを抽出する。ここで、ビットインデックスがｂｉｔ０から始まる場合、４０番目のビット位置はｂｉｔ３９に該当し、４８番目のビット位置はｂｉｔ４７に該当する。又は、ビットインデックスがｂｉｔ１から始まる場合、４０番目のビット位置はｂｉｔ４０に該当し、４８番目のビット位置はｂｉｔ４８に該当する。以下の例示では、ビットインデックスはｂｉｔ０から始まるとして説明するが、ビットインデックスがｂｉｔ１から始まる場合にも、本発明で提案する原理が同一に適用されることは明らかである。
【０２１３】
（２）抽出された９ビットを１０進数に変換する。１０進数への変換はｄｅｃ（Ａ）関数で表現することができ、これはＡを１０進数に変換した値を示す。
【０２１４】
（３）変換された１０進数値にｍｏｄ（２＾９−１）演算を適用する。ここで、ｍｏｄはモジューロ（ｍｏｄｕｌｏ）演算を意味し、Ｘ  ｍｏｄ  ＹはＸをＹで割った余りの値と定義される。２＾９＝２９＝５１２であり、２９−１＝５１１である。これによって、段階（３）の結果値は０乃至５１０範囲の一つの値になる。
【０２１５】
（４）ｍｏｄ（２＾９−１）演算の結果値に１を加える。その結果値は、１乃至５１１範囲の一つの値になる。この値がＰＡＩＤとして設定される最終結果値となる。
【０２１６】
これを下記の式２のように表現することができる。
【０２１７】
【数２】
0005866479.tif 000010
【０２１８】
上記の式２のようにＰＡＩＤ値を計算する理由は、ＰＡＩＤ値が０にならないようにするためである。ＰＡＩＤ＝０は、マルチキャスト／ブロードキャストなどの他の用途に用いられるためである。
【０２１９】
上記の表７の例示で、メッシュ（ｍｅｓｈ）ＳＴＡ間のフレーム送信におけるＰＡＩＤは、次のように計算される。ピア（ｐｅｅｒ）を結んだ相手メッシュＳＴＡのＢＳＳＩＤの４０番目のビット位置から４８番目のビット位置に対する９ビットを１０進数に変換し、ｍｏｄ（２＾９−１）演算を適用した結果値に１を加えた値（すなわち、１乃至５１１範囲の一つの値）をＰＡＩＤ値として用いる。すなわち、メッシュＳＴＡへのフレーム送信においても上記の式２が同一に用いられるが、ＵＬフレームにおけるＰＡＩＤ計算方式においてＡＰのＢＳＳＩＤをメッシュＳＴＡのＢＳＳＩＤに置き換えたものと説明することもできる。
【０２２０】
上記の表７の例示で、ＡＰがＳＴＡへＤＬフレームを送信する場合と、ＳＴＡが直接経路（ｄｉｒｅｃｔ  ｐａｔｈ）でＤＬＳ（Ｄｉｒｅｃｔ  Ｌｉｎｋ  Ｓｅｔｕｐ）／ＴＤＬＳ（Ｔｕｎｎｅｌｅｄ  Ｄｉｒｅｃｔ  Ｌｉｎｋ  Ｓｅｔｕｐ）リンクを通じてフレームを送信する場合におけるＰＡＩＤは、下記の式３のように計算される。
【０２２１】
【数３】
0005866479.tif 000011
【０２２２】
上記の式３で、ＸＯＲは、ｅｘｃｌｕｓｉｖｅ  ＯＲ演算を示す。例えば、１  ＸＯＲ  １＝０、０  ＸＯＲ  １＝１、１  ＸＯＲ  ０＝１、０  ＸＯＲ  ０＝０と計算できる。
【０２２３】
ＤＬフレーム又はＤＬＳ／ＴＤＬＳフレームの場合に、上記の式３で示す通り、ＢＳＳＩＤとＡＩＤの部分情報をハッシュして得た結果値をＰＡＩＤとして用いる。具体的に、ＡＩＤの１番目のビット位置から９番目のビット位置までの９ビットを１０進数に変換する（すなわち、ｄｅｃ（ＡＩＤ［０：８］））。また、ＢＳＳＩＤの４５番目のビット位置から４８番目のビット位置までの４ビット（すなわち、ＢＳＳＩＤ［４４：４７］）とＢＳＳＩＤの４１番目のビット位置から４４番目のビット位置までの４ビット（すなわち、ＢＳＳＩＤ［４０：４３］）とをＸＯＲ演算した結果（すなわち、ＢＳＳＩＤ［４４：４７］  ＸＯＲ  ＢＳＳＩＤ［４０：４３］）を１０進数に変換する（すなわち、ｄｅｃ（ＢＳＳＩＤ［４４：４７］  ＸＯＲ  ＢＳＳＩＤ［４０：４３］））。この計算結果において、ＢＳＳＩＤに基づくＸＯＲの結果は４ビット長であるとともに、これを１０進数に変換したものであるが、ＡＩＤでは９ビットを１０進数に変換したものであるため、桁数を合わせるために、ＢＳＳＩＤから取得した１０進数の結果値に２５を掛ける（２５を掛けることは、２進数で５ビット長を追加することと同じ意味を有する）。これによって、ＢＳＳＩＳに基づいて得た結果と上記ＡＩＤから得た結果とを合算する。この合算された結果にｍｏｄ  ２９を行い、０乃至５１１範囲の一つの値をＰＡＩＤとして決定することができる。
【０２２４】
一方、上記の表７の例示で、その他の場合（ｏｔｈｅｒｗｉｓｅ）は、ＡＰによって全てのＳＴＡに送信されるブロードキャスト／マルチキャストフレーム、又は連携を結んでいない（ｎｏｎ−ａｓｓｏｃｉａｔｅｄ）ＳＴＡが送信するフレームである場合に該当し、このとき、ＰＡＩＤ値としては０が用いられる。
【０２２５】
上記の表７のようにＰＡＩＤの値を所定の条件に従って計算する場合に、ＡＰの立場では、ＰＡＩＤ値が０又はｄｅｃ（ＢＳＳＩＤ［３９：４７］）ｍｏｄ（２９−１））＋１値と一致するフレームのみを、自身に向かって送信される可能性があるフレームと見なしてＰＳＤＵをデコードする。
【０２２６】
また、ＳＴＡの立場では、ＰＡＩＤ値が０又は（ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ２９値と一致するフレームのみを、自身に向かって送信される可能性があるフレームと見なしてＰＳＤＵをデコードする。
【０２２７】
ここで、ＡＰがＡＩＤをＳＴＡに割り当てるとき、割り当てたＡＩＤによって計算される上記式３の結果値が０（すなわち、（ｄｅｃ（ＡＩＤ［０：８］＋ｄｅｃ（ＢＳＳＩＤ［４４：４７］  ＸＯＲ  ＢＳＳＩＤ［４０：４３］）×２５）  ｍｏｄ  ２９＝０）になるＡＩＤをＳＴＡに割り当てないことが好ましい。もし、上記の式３に従う計算値が０になるＡＩＤをＳＴＡに割り当てると、当該ＳＴＡに送信されるフレームのＰＡＩＤ値が０になるため、当該フレームの受信側でないにもかかわらず、他の全てのＳＴＡが当該フレームをマルチキャスト／ブロードキャストフレームと見なして、余計に当該フレームのＰＳＤＵデコードを試みることになる。したがって、他のタイプのフレームとの区別のために、上記の式３の結果値が０になるＡＩＤがＳＴＡに割り当てられてはならない。
【０２２８】
また、ＡＰがＡＩＤをＳＴＡに割り当てるとき、前記ＡＰのＢＳＳＩＤに基づく上記の式２の計算結果（すなわち、ｄｅｃ（ＢＳＳＩＤ［３９：４７］）ｍｏｄ（２９−１））＋１）と、上記ＳＴＡに割り当てられたＡＩＤ及び上記ＡＰのＢＳＳＩＤに基づく上記の式３の計算結果（すなわち、（ｄｅｃ（ＡＩＤ［０：８］＋ｄｅｃ（ＢＳＳＩＤ［４４：４７］  ＸＯＲ  ＢＳＳＩＤ［４０：４３］）×２５）  ｍｏｄ  ２９）とが同一になるＡＩＤをＳＴＡに割り当てないことが好ましい。もし、ＵＬフレームのためのＰＡＩＤ値（すなわち、上記の式２の計算結果）と、ＤＬフレームのためのＰＡＩＤ値（すなわち、上記の式３の計算結果）とが同一の値になるように特定ＳＴＡのＡＩＤを割り当てると、上記特定ＳＴＡは、他のＳＴＡがＡＰに向かって送信するＵＬフレームを全て自身のためのＤＬフレームと見なし、余計にそれらのフレームのＰＳＤＵデコードを試みることになる。
【０２２９】
また、ＯＢＳＳ（Ｏｖｅｒｌａｐｐｉｎｇ  ＢＳＳ）が存在するとき、ＡＰ（すなわち、ＳＴＡが連携されたＡＰ）は、ＯＢＳＳを構成するＯＢＳＳ（すなわち、ＳＴＡが連携されたＡＰのＢＳＳと同じチャネル上で動作するＢＳＳであり、ＢＳＡが一部又は全て重なるＢＳＳ）のＡＰのＯＢＳＳ  ＢＳＳＩＤを考慮してＳＴＡのＡＩＤを割り当てることができる。すなわち、ＡＰがＡＩＤをＳＴＡに割り当てるとき、上記ＳＴＡに割り当てられたＡＩＤ及び上記ＡＰのＢＳＳＩＤに基づく上記の式３の計算結果（すなわち、（ｄｅｃ（ＡＩＤ［０：８］＋ｄｅｃ（ＢＳＳＩＤ［４４：４７］  ＸＯＲ  ＢＳＳＩＤ［４０：４３］）×２５）  ｍｏｄ  ２９）がＯＢＳＳのＢＳＳＩＤに基づく上記の式２の計算結果（すなわち、ｄｅｃ（ＯＢＳＳ  ＢＳＳＩＤ［３９：４７］）ｍｏｄ（２９−１））＋１）と同一になるＡＩＤをＳＴＡに割り当てないことが好ましい。そうしないと、上記ＳＴＡは、ＯＢＳＳに属したＳＴＡがＯＢＳＳ  ＡＰに送信するＯＢＳＳ  ＵＬフレームを全て自身に向かうＤＬフレームと見なし、余計にそれらのフレームのＰＳＤＵデコードを試みることになる。
【０２３０】
言い換えると、ＡＰがＳＴＡにＡＩＤを割り当てる際、割り当てようとするＡＩＤに対して上記の式３（すなわち、（ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ  ２９）を適用して得るＰＡＩＤ値が、（ｄｅｃ（ＢＳＳＩＤ［３９：４７］）ｍｏｄ（２９−１））＋１とも同一であってはならず、（ｄｅｃ（ＯＢＳＳ  ＢＳＳＩＤ［３９：４７］）ｍｏｄ（２９−１））＋１とも同一であってはならない。すなわち、ＡＰは、割り当てようとするＡＩＤ値に（ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ  ２９を適用して得るＰＡＩＤ値が、（ｄｅｃ（ＢＳＳＩＤ［３９：４７］）ｍｏｄ（２９−１））＋１と同一になるＡＩＤ、及び（ｄｅｃ（ＯＢＳＳ  ＢＳＳＩＤ［３９：４７］）ｍｏｄ（２９−１））＋１と同一になるＡＩＤを除いて、残りのＡＩＤのいずれかをＳＴＡに割り当てなければならない。
【０２３１】
このようにＯＢＳＳとの衝突問題を防止するためには、ＡＰがＯＢＳＳ  ＡＰのＢＳＳＩＤ（すなわち、ＯＢＳＳ  ＢＳＳＩＤ）を知っていなければならない。しかし、ＡＰがＯＢＳＳ  ＡＰを検出できなかった場合は、上記ＡＰに連携されたＳＴＡに割り当てられたＡＩＤに基づく上記の式３の計算結果が上記ＯＢＳＳ  ＢＳＳＩＤに基づく上記の式２の計算結果と同一になるＡＩＤが上記ＳＴＡに割り当てられることもある。この場合、ＳＴＡはＡＰにＡＩＤ変更を要請することができる。
【０２３２】
例えば、（ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ  ２９に対する計算値がｄｅｃ（ＯＢＳＳ  ＢＳＳＩＤ［３９：４７］）ｍｏｄ（２９−１））＋１と同一になるＡＩＤがＳＴＡに割り当てられた場合、上記ＳＴＡはＡＩＤ再割当要請（ｒｅａｓｓｉｇｎｍｅｎｔ  ｒｅｑｕｅｓｔ）フレームをＡＰに送信することができる。ＡＰがＡＩＤ再割当要請フレームを受け、ＡＩＤ再割当要請フレームの理由コード（ｒｅａｓｏｎ  ｃｏｄｅ）が「Ｐａｒｔｉａｌ  ＡＩＤ  Ｃｏｌｌｉｓｉｏｎ」を示す場合、ＡＰは当該ＡＩＤ値をＳＴＡに割り当てない。ＡＰは当該端末にＡＩＤ再割当応答（ｒｅａｓｓｉｇｎｍｅｎｔ  ｒｅｓｐｏｎｓｅ）フレームを送信して新しいＡＩＤを割り当てることができる。これに関する本発明の具体的な例示は、後述する「ＡＩＤ再割当要請／応答」の欄で説明する。
【０２３３】
前述した場合を総合的に考慮すると、目的に沿ってＰＡＩＤを用いるためには、ＡＰが端末にＡＩＤを割り当てる際、ＡＩＤとＢＳＳＩＤのハッシュから得られるＤＬフレームのＰＡＩＤ値（すなわち、上記の式３の計算結果）が、マルチキャスト／ブロードキャストのような特定フレーム類型のために指定されたＰＡＩＤ値（例えば、０）と重複してはならず、且つ、ＡＰ（すなわち、連携されたＡＰ）又はＯＢＳＳ  ＡＰに送信されるＵＬフレームのＰＡＩＤ値（すなわち、上記の式２の計算結果）とも重複してはならない。また、このような衝突無しに動作するためには、上の３つの条件に該当するＡＩＤを個別ＳＴＡのＡＩＤとして割り当てず、別の用途（例えば、マルチキャストフレーム）のために用いればよい。
【０２３４】
また、本発明で、ＡＰのＰＡＩＤ値は、特定範囲の値から任意の一つを選択することができる。この場合、また、ＡＰのＰＡＩＤ値は、ＡＩＤとＢＳＳＩＤのハッシュによって得られるＤＬフレームのＰＡＩＤ値は、ＡＰ又はＯＢＳＳ  ＡＰに送信されるＵＬフレームのように特定ＳＴＡのために指定されたＰＡＩＤ値と同一でないようにしなければならない。
【０２３５】
また、上記の表７の例示に関する他の実施例として、特定類型のフレーム（例えば、ビーコンフレーム、プローブ応答フレームなど）のために用いられるＰＡＩＤ値をあらかじめ指定しておき、一般的なフレームのためのＰＡＩＤは、上記特定類型のフレームのためにあらかじめ指定された値とならないようにすることができる。その例示を表８に示す。
【０２３６】
【表８】
0005866479.tif 000012
【０２３７】
上記の表８の例示で、ビーコンフレームにＰＡＩＤ  １番、プローブ応答フレームにＰＡＩＤ  ２番が割り当てられた場合、ＡＰは、ＰＡＩＤ  ０、１、２の値がＤＬフレーム、ＵＬフレームに使用されないＡＩＤをＳＴＡに割り当てなければならない。
【０２３８】
そのために、上記の表８の例示でＵＬフレーム（すなわち、ＡＰに向かうフレーム）のＰＡＩＤが０、１、２を有しないように、下記の式４のようにＰＡＩＤを計算することができる。
【０２３９】
【数４】
0005866479.tif 000013
【０２４０】
上記の式４は、上記の表８の例示でｋ＝２の場合といえる。すなわち、ＡＰ  ＢＳＳＩＤの４０番目のビット位置から４８番目のビット位置に対する９ビットを１０進数とし（すなわち、ｄｅｃ（［３９：４７］））、その結果にｍｏｄ（２９−１−２）演算を適用して０乃至５０８範囲の値を得、その結果値に３を加えた３乃至５１１範囲の一つの値を、ＵＬフレームのＰＡＩＤ値として用いることができる。
【０２４１】
追加の提案として、本発明で提案する上記の例示で、ＡＰ  ＢＳＳＩＤの４０番目のビット位置から４８番目のビット位置（すなわち、［３９：４７］）の９ビットを用いる部分は、ＡＰ  ＢＳＳＩＤの４１番目のビット位置から４８番目のビット位置（すなわち、［４０：４７］）の８ビットと２進値（ｂｉｎａｒｙ）１を連結（ｃｏｎｃａｔｅｎａｔｉｏｎ）して得られる値に置き換えてもよい。ここで、２進値１が連結されるビット位置は、上記８ビットのＬＳＢ（Ｌｅａｓｔ  Ｓｉｇｎｉｆｉｃａｎｔ  Ｂｉｔ）又はＭＳＢ（Ｍｏｓｔ  Ｓｉｇｎｉｆｉｃａｎｔ  Ｂｉｔ）であってもよい。
【０２４２】
ＡＩＤ再割当要請／応答
【０２４３】
図１５（ａ）は、ＡＩＤ再割当要請フレームフォーマットの一例を示し、図１５（ｂ）は、ＡＩＤ再割当応答フレームフォーマットの一例を示す。
【０２４４】
図１５（ａ）を参照すると、カテゴリーフィールドは、当該フレームが関連しているカテゴリーを示す値に設定することができる。動作（ａｃｔｉｏｎ）フィールドは、当該フレームが上記カテゴリー内でどの管理動作のためのものであるかを示す値に設定することができる。
【０２４５】
理由コード（ｒｅａｓｏｎｃｏｄｅ）は、ＰＡＩＤ衝突（Ｐａｒｔｉａｌ  ＡＩＤ  Ｃｏｌｌｉｓｉｏｎ）を示す値に設定することができる。ＳＴＡがＡＰにＡＩＤ再割当要請フレームを送信する際、ＳＴＡが複数のＯＢＳＳ  ＡＰを検出した場合には、ＳＴＡは自身が検出した全てのＯＢＳＳ  ＡＰのＢＳＳＩＤに対するＰａｒｔｉａｌ  ＢＳＳＩＤ情報も共に伝達する。これは、ＡＰが当該ＳＴＡのためのＡＩＤを再び割り当てる際、全てのＯＢＳＳ  ＢＳＳＩＤとの衝突を避けるためである。
【０２４６】
ＯＢＳＳ  Ｐａｒｔｉａｌ  ＢＳＳＩＤリストフィールドは、ＯＢＳＳ  ＢＳＳＩＤのうち［４０：４７］の８ビットを含むことができる。
【０２４７】
ＡＩＤ再割当要請フレームを受信したＡＰは、それに対する応答として、図１５（ｂ）に示すフレームフォーマットを持つＡＩＤ再割当応答フレームをＳＴＡに送信することができる。
【０２４８】
図１５（ｂ）を参照すると、カテゴリーフィールドは、当該フレームが関連しているカテゴリーを示す値に設定することができる。動作（ａｃｔｉｏｎ）フィールドは、当該フレームが上記カテゴリー内でどの管理動作のためのものかを示す値に設定することができる。
【０２４９】
新しいＡＩＤ（Ｎｅｗ  ＡＩＤ）フィールドは、ＡＰがＳＴＡに新しく割り当てるＡＩＤを含む。ＡＰが新しいＡＩＤを割り当てる際、ＡＩＤ再割当要請フレームのＯＢＳＳ  Ｐａｒｔｉａｌ  ＢＳＳＩＤリストを介して知られたＯＢＳＳ  ＢＳＳＩＤと、新しく割り当てられるＡＩＤに基づいて計算されるＰＡＩＤ値とが衝突しないように、新しいＡＩＤを割り当てなければならない。
【０２５０】
ＡＩＤ活性化オフセット（Ａｃｔｉｖａｔｉｏｎ  Ｏｆｆｓｅｔ）フィールドは、新しく割り当てられるＡＩＤ値が実際に用いられる時点までの時間オフセットを示す。このような時間オフセットの単位は、ビーコンインターバル（Ｂｅａｃｏｎ  Ｉｎｔｅｒｖａｌ）、ＤＴＩＭビーコンインターバル、又は時間ユニット（ＴＵ）の単位で表現される。ＴＵはマイクロ初（μｓ）の単位にすることができ、例えば、１０２４μｓと定義できる。
【０２５１】
デューティサイクル（Ｄｕｔｙ  Ｃｙｃｌｅ）フィールドは、新しく割り当てられるＡＩＤとＡＩＤの属したグループが持つデューティサイクルを示し、スリープインターバル又は非活性化デューレーション（Ｉｎａｃｔｉｖａｔｉｏｎ  Ｄｕｒａｔｉｏｎ）を含むことができる。
【０２５２】
ＳＵフレームのＳＩＧ−Ｂフィールドに関する追加の提案
【０２５３】
ＳＵフレームの場合、当該フレームのデコードのための全ての情報をＳＩＧ−Ａフィールドに含み得ることから、ＳＩＧ−Ｂフィールドは省かれてもよい。したがって、ＳＵフレームにおいてＳＩＧ−Ｂフィールドを送信しない方式でＳＵフレームフォーマットを構成することもできる。
【０２５４】
しかしながら、ＳＩＧ−Ｂフィールドを除いた別のフォーマットを定義することが、フレームを生成する側においてもフレームを受信してデコードする側においてもプロセシング負担が増加することがあるため、既存と同様にＳＩＧ−Ｂフィールドを含むようにＳＵフレームを構成するものの、その構成内容を次のように設定することもできる。ＳＩＧ−Ｂフィールドは実質的な制御情報を含まなくてもよいため、ＰＡＰＲ（Ｐｅａｋ  ｔｏ  Ａｖｅｒａｇｅ  Ｐｏｗｅｒ  Ｒａｔｉｏ）を下げるための目的に固定されたパターン（ｆｉｘｅｄ  ｐａｔｔｅｒｎ）のシーケンスを定義し、それを反復することによってＳＩＧ−Ｂフィールドを構成することもできる。
【０２５５】
図１６は、ＳＩＧ−Ｂフィールドとして使用可能な固定されたシーケンスの例示を示す図である。
【０２５６】
図１６（ａ）、（ｂ）、（ｃ）はそれぞれ、２ＭＨｚ、４ＭＨＺ、８ＭＨｚ／１６ＭＨ／８＋８ＭＨｚＰＰＤＵのＳＩＧ−Ｂフィールドとして使用可能な固定されたシーケンスの例示を示す。
【０２５７】
図１６（ａ）で、２ＭＨｚ帯域幅のＰＰＤＵの場合、上記の表４に示すように、ＳＩＧ−Ｂフィールドの全体ビット長は２６であり、そのうちの６ビットはＴＡＩＬビットとして割り当てられる。したがって、固定されたシーケンスの長さは２０ビット（すなわち、Ｂ０乃至Ｂ１９）を有することができる。図１６（ａ）のシーケンスパターンは例示的なものであり、本発明の範囲がそれに制限されるものではない。
【０２５８】
図１６（ｂ）で、４ＭＨｚ帯域幅のＰＰＤＵの場合、上記の表４に示すように、ＳＩＧ−Ｂフィールドの全体ビット長は２７であり、そのうちの６ビットはＴＡＩＬビットとして割り当てられる。したがって、固定されたシーケンスの長さは２１ビット（すなわち、Ｂ０乃至Ｂ２０）を有することができる。図１６（ｂ）のシーケンスパターンは例示的なものであり、本発明の範囲がそれに制限されるものではない。
【０２５９】
図１６（ｃ）で、８ＭＨｚ／１６ＭＨ／８＋８ＭＨｚ帯域幅のＰＰＤＵの場合、上記の表４に示すように、ＳＩＧ−Ｂフィールドの全体ビット長は２９であり、そのうちの６ビットはＴＡＩＬビットとして割り当てられる。したがって、固定されたシーケンスの長さは２３ビット（すなわち、Ｂ０乃至Ｂ２２）を有することができる。図１６（ｃ）のシーケンスパターンは例示的なもので、本発明の範囲がそれに制限されるものではない。
【０２６０】
図１７は、図１６の固定されたパターンがＰＰＤＵとして送信される場合に、ＳＩＧ−Ｂフィールドで反復される方法を説明するための図である。
【０２６１】
図１７の２ＭＨｚのＰＰＤＵの例示で、２０ビットは図１６（ａ）の固定されたシーケンスパターンに該当する。
【０２６２】
図１７の４ＭＨｚのＰＰＤＵの例示で、２１ビットは図１６（ｂ）の固定されたシーケンスパターンに該当する。ここで、４ＭＨｚのＰＰＤＵでは、ＳＩＧ−Ｂフィールド（すなわち、固定されたシーケンス＋ＴＡＩＬ）が１回更に反復（すなわち、全体２回送信）される例を示す。
【０２６３】
図１７の８ＭＨｚのＰＰＤＵの例示で、２３ビットは図１６（ｃ）の固定されたシーケンスパターンに該当する。ここで、８ＭＨｚのＰＰＤＵでは、ＳＩＧ−Ｂフィールド（すなわち、固定されたシーケンス＋ＴＡＩＬ）が３回更に反復（すなわち、全体４回送信）される例を示す。ＳＩＧ−Ｂフィールドが反復された全体長さを所定の長さに合わせるために、埋め草ビット（ｐａｄ  ｂｉｔ）１ビットを付加することができる。
【０２６４】
図１７の１６ＭＨｚのＰＰＤＵの例示で、２３ビットは図１６（ｃ）の固定されたシーケンスパターンに該当する。ここで、１６ＭＨｚのＰＰＤＵでは、ＳＩＧ−Ｂフィールド（すなわち、固定されたシーケンス＋ＴＡＩＬ）が３回更に反復（すなわち、全体４回送信）され、埋め草ビットの付加されたセットが１回更に反復（すなわち、全体２回送信）される例を示す。
【０２６５】
図１８は、本発明の一例に係るフレーム送受信方法を説明するための図である。
【０２６６】
段階Ｓ１８１０で、ＳＴＡは、ＡＰにアドレスする（ａｄｄｒｅｓｓｅｄ  ｔｏ  ＡＰ）フレーム（すなわち、ＵＬフレーム）に含まれるＰＡＩＤを、上記の本発明の例示のようにＡＰのＢＳＳＩＤに基づいて計算することができる。例えば、上記の式２（すなわち、（ｄｅｃ（ＢＳＳＩＤ［３９：４７］）ｍｏｄ（２９−１））＋１）の結果値をＰＡＩＤフィールドに含めることができる。これによって、ＵＬＳＵフレームのＰＡＩＤを０以外の値（例えば、１乃至５１１範囲の値）に設定することができる。ここで、ＵＬ  ＳＵフレームはｓｕｂ−１ＧＨｚ動作周波数帯域で送信されるフレームと定義されてもよい。
【０２６７】
段階Ｓ１８２０で、ＳＴＡは、上記段階Ｓ１８１０で計算されたＰＡＩＤ値を含むＰＡＩＤフィールドと、上記の表３などで提案する様々なフィールドを含むＳＩＧ−Ａフィールドを構成し、それに加えて他のフィールドを更に含むＳＵフレームフォーマット（例えば、ＳＵ  ＰＰＤＵフレームフォーマット）によって構成されたフレームを上記ＡＰに送信することができる。
【０２６８】
段階Ｓ１８３０で、ＡＰは上記フレームを受信することができるが、まず、該フレームのＳＩＧ−ＡフィールドのＰＡＩＤフィールドを確認することができる。すなわち、ＡＰは、ＰＡＩＤの値が該ＡＰのＢＳＳＩＤに基づいて計算されたか否かを判定することができる。
【０２６９】
上記段階Ｓ１８３０でフレームのＰＡＩＤフィールド値が自身のＢＳＳＩＤに基づいて計算された（例えば、上記の式２によって計算された）ものと確認されると、段階Ｓ１８４０で、該ＡＰは当該ＰＰＤＵフレームのＰＳＤＵをデコードすることができる。
【０２７０】
一方、段階Ｓ１８５０で、ＡＰは、ＳＴＡに送信するフレームに含まれるＰＡＩＤ値を計算することができる。ＡＰによって送信されるフレームに含まれるＰＡＩＤ値は、上記の式３のように、該ＡＰによって上記ＳＴＡに割り当てられるＡＩＤ及び上記ＡＰのＢＳＳＩＤに基づいて計算することができる（例えば、ｄｅｃ（ＡＩＤ［０：８］＋ｄｅｃ（ＢＳＳＩＤ［４４：４７］  ＸＯＲ  ＢＳＳＩＤ［４０：４３］）×２５）ｍｏｄ  ２９）。
【０２７１】
ここで、上記ＳＴＡに割り当てられるＡＩＤ値は、該ＡＩＤ値を用いて上記のように計算されたＰＡＩＤ値が、次のように計算される第１のＰＡＩＤと同一でもなく、第２のＰＡＩＤとも同一でないように割り当てられなければならない。
【０２７２】
上記第１のＰＡＩＤは、上記ＡＰのＢＳＳＩＤの４８個のビット位置のうち、４０番目のビット位置から４８番目のビット位置の値を１０進数に変換した値にモジューロ演算を適用することによって計算された値（すなわち、（ｄｅｃ（ＢＳＳＩＤ［３９：４７］）ｍｏｄ（２９−１））＋１）であってもよい。上記第２のＰＡＩＤは、ＯＢＳＳのＢＳＳＩＤの４８個のビット位置のうち、４０番目のビット位置から４８番目のビット位置の値を１０進数に変換した値にモジューロ演算を適用することによって計算された値（すなわち、（ｄｅｃ（ＯＢＳＳ  ＢＳＳＩＤ［３９：４７］）ｍｏｄ（２９−１））＋１）であってもよい。
【０２７３】
段階Ｓ１８６０で、ＡＰは、上記段階Ｓ１８５０で計算されたＰＡＩＤ値を含むＰＡＩＤフィールドと上記の表３などで提案する様々なフィールドを含むＳＩＧ−Ａフィールドを構成し、これに加えて他のフィールドを更に含むＳＵフレームフォーマット（例えば、ＳＵ  ＰＰＤＵフレームフォーマット）に従って構成されたフレームを上記ＳＴＡに送信することができる。
【０２７４】
段階Ｓ８１８７０で、ＳＴＡは上記フレームを受信することができるが、まず、該フレームのＳＩＧ−ＡフィールドのＰＡＩＤフィールドを確認することができる。すなわち、ＳＴＡは、ＰＡＩＤの値が上記ＡＰによって上記ＳＴＡに割り当てられるＡＩＤ及び該ＡＰのＢＳＳＩＤに基づいて計算されたか否かを判定することができる。
【０２７５】
上記段階Ｓ１８７０でフレームのＰＡＩＤフィールド値が自身のＡＩＤ及び上記ＡＰのＢＳＳＩＤに基づいて計算された（例えば、上記の式３によって計算された）ものと確認されると、段階Ｓ１８８０で、上記ＳＴＡは上記ＰＰＤＵフレームのＰＳＤＵをデコードすることができる。
【０２７６】
図１８で例示する本発明のフレーム送受信方法（特に、ＰＡＩＤ構成方案）において、前述した本発明の様々な実施例で説明した事項は独立して適用されてもよく、２つ以上の実施例が同時に適用されてもよい。
【０２７７】
図１９は、本発明の一実施例に係る無線装置の構成を示すブロック図である。
【０２７８】
ＡＰ１０は、プロセッサ１１、メモリー１２、送受信器１３を備えることができる。ＳＴＡ２０は、プロセッサ２１、メモリー２２、送受信器２３を備えることができる。送受信器１３及び２３は、無線信号を送信／受信することができ、例えば、ＩＥＥＥ  ８０２システムに基づく物理層を具現することができる。プロセッサ１１及び２１は、送受信器１３及び２１と接続して、ＩＥＥＥ  ８０２システムに基づく物理層及び／又はＭＡＣ層を具現することができる。プロセッサ１１及び２１は、前述した本発明の様々な実施例に係る動作を行うように構成されてもよい。また、前述した本発明の様々な実施例に係るＡＰ及びＳＴＡの動作を具現するモジュールがメモリー１２及び２２に格納され、プロセッサ１１及び２１によって実行されてもよい。メモリー１２及び２２は、プロセッサ１１及び２１の内部に含まれてもよく、又はプロセッサ１１及び２１の外部に設けられて、プロセッサ１１及び２１と公知の手段によって接続されてもよい。
【０２７９】
このようなＡＰ及びＳＴＡ装置の具体的な構成は、前述した本発明の様々な実施例で説明した事項が独立して適用されてもよく、２つ以上の実施例が同時に適用されるように具現されてもよく、重複する内容は明確性のために説明を省略する。
【０２８０】
上述した本発明の実施例は様々な手段を用いて具現することができる。例えば、本発明の実施例は、ハードウェア、ファームウェア（ｆｉｒｍｗａｒｅ）、ソフトウェア又はそれらの結合などによって具現することができる。
【０２８１】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０２８２】
ファームウェアやソフトウェアによる具現の場合、本発明の実施例に係る方法は、以上で説明された機能又は動作を実行するモジュール、手順又は関数などの形態として具現することができる。ソフトウェアコードは、メモリーユニットに保存され、プロセッサによって駆動されてよい。メモリーユニットは、プロセッサの内部又は外部に設けられ、既に公知の様々な手段によってプロセッサとデータを交換することができる。
【０２８３】
以上開示された本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更することもできる。例えば、当業者は、上記の実施例に記載された各構成を互いに組み合わせる方式で用いてもよい。したがって、本発明は、ここに開示されている実施形態に制限されるものではなく、ここに開示されている原理及び新規な特徴と一致する最も広い範囲を与えるためのものである。
【産業上の利用可能性】
【０２８４】
以上の本発明の様々な実施の形態は、ＩＥＥＥ  ８０２．１１システムを中心に説明したが、様々な移動通信システムに同一の方式で適用されてもよい。
【図１】
0005866479.tif 000014
【図２】
0005866479.tif 000015
【図３】
0005866479.tif 000016
【図４】
0005866479.tif 000017
【図５】
0005866479.tif 000018
【図６】
0005866479.tif 000019
【図７（ａ）】
0005866479.tif 000020
【図７（ｂ）】
0005866479.tif 000021
【図８（ａ）】
0005866479.tif 000022
【図８（ｂ）】
0005866479.tif 000023
【図９】
0005866479.tif 000024
【図１０】
0005866479.tif 000025
【図１１】
0005866479.tif 000026
【図１２】
0005866479.tif 000027
【図１３】
0005866479.tif 000028
【図１４】
0005866479.tif 000029
【図１５（ａ）】
0005866479.tif 000030
【図１５（ｂ）】
0005866479.tif 000031
【図１６（ａ）】
0005866479.tif 000032
【図１６（ｂ）】
0005866479.tif 000033
【図１６（ｃ）】
0005866479.tif 000034
【図１７】
0005866479.tif 000035
【図１８】
0005866479.tif 000036
【図１９】
0005866479.tif 000037